(57)【特許請求の範囲】
【請求項１】
ベース部と、
前記ベース部において所定の第１位置と第２位置との間で往復移動可能に支持される可動部と、
前記ベース部において前記可動部を往復移動させる駆動部とを備え、
前記駆動部は、
前記可動部の両側の側部に設けられた一対のラックギヤと、
前記一対のラックギヤとそれぞれ噛合可能に前記ベース部に配設された一対のピニオンギヤと、
前記一対のピニオンギヤをそれぞれ回転駆動する一対の駆動源とを有し、
前記ピニオンギヤと前記ラックギヤとが噛合した状態で、前記駆動源により前記ピニオンギヤを回転させて前記可動部を前記第１位置と前記第２位置との間で往復移動させるように構成され、
前記ピニオンギヤの側部に、前記第１位置から前記第２位置に向かう方向へ移動して前記第２位置を越えた前記可動部が移動するのを規制するが、前記ピニオンギヤを所定方向へ回転させた場合にのみ、前記可動部が前記第２位置から前記第１位置に向けて戻るのを許容する復帰規制部が設けられていることを特徴とする遊技機の演出装置。
【請求項２】
前記可動部の両側の側部に、前記一対のラックギヤとそれぞれ平行に延びる一対の規制片部が設けられており、
前記復帰規制部は、前記ピニオンギヤの側部に突出して形成され、前記駆動源により前記ピニオンギヤが回転して前記可動部が前記第１位置と前記第２位置との間で往復移動する際、前記規制片部の側方で前記ピニオンギヤとともに回転可能に構成され、
前記復帰規制部は、前記可動部が前記第１位置から前記第２位置に向かう方向へ移動して前記第２位置を越えると、前記可動部の前記規制片部を受け止めることが可能な復帰規制位置へ回転移動し、前記第２位置を越えた前記可動部が移動するのを規制するが、前記ピニオンギヤを前記所定方向へ回転させると、前記復帰規制位置から前記規制片部の移動を許容する方向へ回転し、前記可動部が前記第２位置から前記第１位置に向けて戻るのを許容することを特徴とする請求項１に記載の遊技機の演出装置。
【請求項３】
前記可動部が前記第１位置から前記第２位置に向かう方向へ移動して前記第２位置を越えるまで前記ピニオンギヤが回転すると、前記所定方向と逆の方向へ前記ピニオンギヤが回転するのを規制する回転規制部を備えることを特徴とする請求項１または２に記載の遊技機の演出装置。
【請求項４】
前記駆動部は、前記一対のピニオンギヤとそれぞれ噛合して前記ベース部に配設された一対の中間ギヤを有し、
前記一対の駆動源は、前記一対の中間ギヤを介して前記一対のピニオンギヤをそれぞれ回転駆動し、
前記中間ギヤは、前記中間ギヤの側部に円弧状に形成されて前記回転規制部を受容する溝部と、前記溝部の端部に形成されて前記溝部に受容された前記回転規制部が当接可能なストッパー部とを有し、
前記ピニオンギヤと前記ラックギヤとが噛合した状態で、前記駆動源により前記中間ギヤを１回転より小さい回転範囲で回転させて前記ピニオンギヤを回転させることにより、前記可動部を前記第１位置と前記第２位置との間で往復移動させるように構成され、
前記回転規制部は、突起状に形成されて前記中間ギヤが回転可能な状態で前記溝部に受容され、前記可動部が前記第２位置を越えるまで前記ピニオンギヤおよび前記中間ギヤが回転すると、前記ストッパー部と当接して前記所定方向と逆の方向へ前記ピニオンギヤが回転するのを規制することを特徴とする請求項３に記載の遊技機の演出装置。
【請求項５】
前記可動部が前記第１位置から前記第２位置に向かう方向へ移動して前記第２位置を越えると、前記ピニオンギヤと前記ラックギヤとの噛合が外れるように構成されており、
前記所定方向は、前記ピニオンギヤが前記ラックギヤと再び噛合可能な方向であることを特徴とする請求項１から４のいずれか一項に記載の遊技機の演出装置。
【発明の詳細な説明】
【技術分野】
【０００１】
本発明は、ぱちんこ遊技機等に用いられる遊技機の演出装置に関する。
【背景技術】
【０００２】
遊技機の一つであるぱちんこ遊技機は、遊技球による遊技を行う遊技領域が設けられた遊技盤を保持する枠部材に、払出装置および各種制御基板が装着された裏機構盤が取り付けられて構成される。そして、発射機構により遊技領域の上側に打ち出した遊技球を落下させる過程で、遊技領域内に設けた各種の入賞装置に入賞させる遊技が行われる。遊技領域には、各種の入賞装置の他、遊技性を高めるためにセンター飾り、画像表示装置、各種演出装置（例えば、特許文献１を参照）が設けられる。
【先行技術文献】
【特許文献】
【０００３】
【特許文献１】特開２０１５−９１４７８号公報
【発明の概要】
【発明が解決しようとする課題】
【０００４】
しかしながら、このような遊技機では、演出装置の故障を防止するための方策が求められている。
【０００５】
本発明は、このような課題に鑑みてなされたものであり、故障防止を図った遊技機の演出装置を提供することを目的とする。
【課題を解決するための手段】
【０００６】
このような目的達成のため、本発明に係る遊技機の演出装置は、ベース部と、前記ベース部において所定の第１位置と第２位置との間で往復移動可能に支持される可動部と、前記ベース部において前記可動部を往復移動させる駆動部とを備え、前記駆動部は、前記可動部の両側の側部に設けられた一対のラックギヤと、前記一対のラックギヤとそれぞれ噛合可能に前記ベース部に配設された一対のピニオンギヤと、前記一対のピニオンギヤをそれぞれ回転駆動する一対の駆動源とを有し、前記ピニオンギヤと前記ラックギヤとが噛合した状態で、前記駆動源により前記ピニオンギヤを回転させて前記可動部を前記第１位置と前記第２位置との間で往復移動させるように構成され、前記ピニオンギヤの側部に、前記第１位置から前記第２位置に向かう方向へ移動して前記第２位置を越えた前記可動部が移動するのを規制するが、前記ピニオンギヤを所定方向へ回転させた場合にのみ、前記可動部が前記第２位置から前記第１位置に向けて戻るのを許容する復帰規制部が設けられている。
【発明の効果】
【０００７】
本発明によれば、演出装置の故障を防止することができる。
【図面の簡単な説明】
【０００８】
【図１】ぱちんこ遊技機からガラス枠を取り外した状態を示す正面図である。
【図２】ガラス枠を前方から見た斜視図である。
【図３】ぱちんこ遊技機の背面図である。
【図４】遊技盤を前方から見た斜視図である。
【図５】上部可動演出装置の正面図である。
【図６】上部可動演出装置において第２装飾部材が離間位置に移動した状態を示す正面図である。
【図７】上部可動演出装置の背面図である。
【図８】上部可動演出装置の分解斜視図である。
【図９】（ａ）は第１装飾部材および第１装飾ベース部材の拡大斜視図であり、（ｂ）はロック機構部およびロック解除部の拡大斜視図である。
【図１０】裏側演出ユニットの正面図である。
【図１１】裏側演出ユニットを後方から見た斜視図である。
【図１２】裏側演出ユニットの分解斜視図である。
【図１３】（ａ）は反転ギヤを前方から見た分解斜視図であり、（ｂ）反転ギヤを後方から見た分解斜視図である。
【図１４】（ａ）は下部可動演出装置の斜視図であり、（ｂ）下部可動演出装置の背面図である。
【図１５】下部可動演出装置の分解斜視図である。
【図１６】演出ベース部の分解斜視図である。
【図１７】演出可動部の可動部材が演出ベース部材に対し第１演出位置に移動した状態を示す正面図である。
【図１８】図１７において円Ａで囲まれた部分を示す拡大図である。
【図１９】演出可動部の可動部材が演出ベース部材に対し第２演出位置に移動した状態を示す正面拡大図である。
【図２０】演出可動部の可動部材が演出ベース部材に対し第２演出位置を越えた状態を示す斜視図である。
【図２１】図２０において円Ｂで囲まれた部分を示す拡大図である。
【図２２】左側ピニオンギヤの復帰規制部が復帰規制位置に位置する状態を示す拡大正面図である。
【図２３】左側ピニオンギヤの復帰規制部が復帰許容位置に位置する状態を示す拡大正面図である。
【図２４】（ａ）は下部可動演出装置の変形例を示す斜視図であり、（ｂ）は（ａ）において円Ｃで囲まれた部分を示す拡大図である。
【図２５】変形例に係る下部可動演出装置の分解斜視図である。
【図２６】変形例に係る下部可動演出装置を後方から見た斜視図である。
【図２７】変形例に係る下部可動演出装置の側断面図である。
【図２８】導光部材の正面図である。
【図２９】図２８中の矢印IXXX−IXXXに沿った断面図である。
【図３０】図２８中の矢印XXX−XXXに沿った断面図である。
【図３１】不正チェック補助手段を示す斜視図である。
【図３２】目視用治具が複層ガラスの前面側にセットされた状態を示す正面図である。
【発明を実施するための形態】
【０００９】
以下、本発明の好ましい実施形態について図面を参照して説明する。本実施形態に係る弾球遊技機としてぱちんこ遊技機ＰＭを図１〜図４に示しており、まず、この図を参照してぱちんこ遊技機ＰＭの全体構成について説明する。本実施形態において、図２の各矢印で示す方向をそれぞれ、上下方向、前後方向、左右方向として説明する。
【００１０】
［ぱちんこ遊技機の全体構成］
始めに、ぱちんこ遊技機ＰＭの前面側の基本構造を説明する。ぱちんこ遊技機ＰＭは、図１に示すように、外郭方形枠サイズに構成された縦向きの固定保持枠をなす外枠１と、これに合わせた方形枠サイズに構成されて開閉搭載枠をなす前枠２とを主体に構成される。前枠２は、外枠１および前枠２の左側縁部に配設された上下のヒンジ機構３ａ，３ｂにより、外枠１の前側開口部に対して横開き開閉および着脱が可能に取り付けられる。また
、前枠２は、右側縁部に設けられたダブル錠と称される施錠装置４を利用して、常には外枠１と係合連結された閉鎖状態に保持される。
【００１１】
前枠２の前面側には、図２に示すように、この前枠２の上部前面域に合わせた方形状のガラス枠５が上下のヒンジ機構３ａ，３ｂを利用して横開き開閉および着脱可能に組み付けられる。ガラス枠５は、上述の施錠装置４を利用して、常には前枠２の前面を覆う閉鎖状態に保持される。図１に示すように、前枠２の上側に設けられた収容枠２ａに遊技盤１００が着脱可能にセット保持され、常には閉鎖保持されるガラス枠５の複層ガラス５ａを通して、遊技盤１００の前面に設けられた遊技領域ＰＡを視認可能に臨ませるようになっている。なお、図１において遊技領域ＰＡの詳細な記載を省略している。
【００１２】
遊技盤１００は、透明の樹脂材料を用いて板状に形成されたベース部材１１１の前面側に、内外のレール部１１２，１１３により囲まれて略円形状の遊技領域ＰＡが形成されるようになっている。図４に示すように、遊技盤１００の遊技領域ＰＡには、多数本の遊技釘とともに、遊技球が入球可能な一般入賞装置１２１、第１および第２始動入賞装置１２２，１２３、第１および第２大入賞装置１２４，１２５等の各種入賞装置、遊技の展開状態に応じた演出画像を表示する画像表示装置１４０、上下の可動演出装置２００，５００が設けられるセンター飾り１５０等が取り付けられている。また、遊技領域ＰＡの下端部には、遊技球が通過可能なアウト口１２９が形成されている。
【００１３】
外レール部１１２は、下側が開いた円弧状に形成されており、発射機構２２から発射された遊技球を遊技領域ＰＡへ導くようになっている。内レール部１１３は、右側が開いた円弧状に形成されており、遊技盤１００（ベース部材１１１）の前面において外レール部１１２の左側部分に対し所定間隔を空けるように配設されることで、外レール部１１２の左側部分との間に発射通路１１５が形成されるようになっている。
【００１４】
図２に示すように、ガラス枠５の下部前面側には、遊技球を貯留する上下の球皿（上球皿６ａおよび下球皿６ｂ）が設けられる。ガラス枠５の上部前面側には、発光ダイオード（ＬＥＤ）やランプ等の電飾装置７や、遊技の展開状態に応じて効果音を発生させるスピーカ８が設けられる。
【００１５】
図１に示すように、前枠２の右下部には、遊技球の発射操作を行う発射ハンドル９が設けられる。前枠２の下部におけるガラス枠５の後側の領域（以降、遊技補助盤２０と称する）には、上球皿６ａに貯留された遊技球を１球ずつ送り出す整流器２１、整流器２１から送り出された遊技球を遊技領域ＰＡに向けて打ち出す発射機構２２、発射機構２２の作動を制御する発射制御基板２３等が設けられる。
【００１６】
続いて、ぱちんこ遊技機ＰＭの後面側の基本構造を説明する。図３に示すように、前枠２の後面側には、中央に前後連通する窓口を有して前枠２よりも幾分小型の矩形枠状に形成された裏機構盤３０が取り付けられている。裏機構盤３０の各部には、遊技施設側から供給される遊技球を貯留するタンク部材３３、タンク部材３３から供給される遊技球を流下させる樋部材３４、樋部材３４を流下する遊技球を払い出す賞球払出ユニット３５、賞球払出ユニット３５から払い出された遊技球を上球皿６ａもしくは下球皿６ｂに流下させる裏側通路部材３６等が設けられている。また、裏機構盤３０には、遊技盤２００の後側を全体的に覆う遊技盤カバー３９が取り付けられる。
【００１７】
遊技盤１００の後側には、ぱちんこ遊技機ＰＭの作動を統括的に制御する主制御基板（図示せず）や、遊技展開に応じた画像表示、効果照明、効果音等の演出全般の制御を行う副制御基板（図示せず）等が取り付けられている。これに対して、裏機構盤３０の後側には、遊技球の払い出しに関する制御を行う払出制御基板４２や、遊技施設側から受電して
各種制御装置や電気・電子部品に電力を供給する電源基板４３等が取り付けられている。これらの制御装置とぱちんこ遊技機ＰＭ各部の電気・電子部品とがハーネス（コネクタケーブル）で接続されて、ぱちんこ遊技機ＰＭが作動可能に構成されている。
【００１８】
ぱちんこ遊技機ＰＭは、外枠１が遊技施設の遊技島（設置枠台）に固定設置され、前枠２、ガラス枠５等が閉鎖施錠された状態で遊技に供され、上球皿６ａに遊技球を貯留させて発射ハンドル９を回動操作することにより遊技が開始される。発射ハンドル９が回動操作されると、上球皿６ａに貯留された遊技球が、整流器２１によって１球ずつ発射機構２２に送り出され、発射機構２２により遊技領域ＰＡに打ち出されて、以降パチンコゲームが展開される。
【００１９】
［上部可動演出装置の構成］
次に、図５〜図９を追加参照して、上部可動演出装置２００について説明する。上部可動演出装置２００は、図５および図８に示すように、第１装飾部材２１０と、第２装飾部材２１５と、装飾ベース部２２０と、装飾部材駆動部２６０と、ロック機構部２７０と、ロック解除部２８０とを有して構成される。上部可動演出装置２００は、センター飾り１５０の内側に開口形成された視認部１５１（図４を参照）を通じて第１装飾部材２１０および第２装飾部材２１５のみを前方から視認可能に、遊技盤１００におけるベース部材１１１の上部後側に取り付けられる。
【００２０】
第１装飾部材２１０は、図８に示すように、樹脂材料を用いて看板状に形成され、第２装飾部材２１５の上方に配設される。第１装飾部材２１０の前面側に、第１の装飾が施された第１装飾形成部２１１が形成される。第１装飾形成部２１１は、センター飾り１５０の上側に前方を向いて配設される看板型装飾２０１（図４および図５を参照）の上側部分を形成する。第１装飾部材２１０の下縁部に、左右方向に延びる平面状の第１接合部２１２が形成される。第１装飾部材２１０の後面側に、第１装飾ベース部材２２１の長穴部２２２と係合可能な係合部材２１４が取り付けられる係合部材取付部（図示せず）が複数形成される。
【００２１】
第２装飾部材２１５は、図８に示すように、樹脂材料を用いて看板状に形成され、第１装飾部材２１０の下側に配設される。第２装飾部材２１５の前面側に、第２の装飾が施された第２装飾形成部２１６が形成される。第２装飾形成部２１６は、看板型装飾２０１（図４および図５を参照）の下側部分を形成する。第２装飾部材２１５の上縁部に、左右方向に延びる平面状の第２接合部２１７が形成される。第２装飾部材２１５は、第２接合部２１７が第１装飾部材２１０の第１接合部２１２と接合した状態で、第１装飾部材２１０と当接するようになっている。このように、第２装飾部材２１５が第１装飾部材２１０と当接すると、第１装飾形成部２１１（第１の装飾）と第２装飾形成部２１６（第２の装飾）とが結合して一体の看板型装飾２０１が形成される。また、第２装飾部材２１５の後面側に、詳細は後述する裏側演出ユニット３００が重なるように結合される。
【００２２】
装飾ベース部２２０は、図８に示すように、第１装飾ベース部材２２１と、第２装飾ベース部材２３１と、左右のスライド部材２４１Ｌ，２４１Ｒと、左右のスライドカバー部材２４６Ｌ，２４６Ｒと、左右のバネ受け部材２５１Ｌ，２５１Ｒと、左右の補助駆動バネ２５６Ｌ，２５６Ｒとを有して構成される。装飾ベース部２２０において、第２装飾部材２１５が上下方向に往復移動可能に支持される。これにより、第１装飾部材２１０の第１装飾形成部２１１と第２装飾部材２１５の第２装飾形成部２１６からなる看板型装飾２０１を、上下二体に分離する演出を行うことが可能になる（図５および図６を参照）。
【００２３】
第１装飾ベース部材２２１は、図８および図９（ａ）に示すように、樹脂材料を用いてブロック状に形成され、ネジ等の結合手段（図示せず）を用いて第２装飾ベース部材２３
１の上部結合部２３８に結合される。第１装飾ベース部材２２１の前側に、上下方向に延びる長穴部２２２が複数形成される。第１装飾部材２１０は、長穴部２２２に対して、第１装飾部材２１０に取り付けられた係合部材２１４によりスライド移動自在に係合する。これにより、第１装飾部材２１０は、下方の第１可動位置（図６の二点鎖線を参照）と、上方の第２可動位置（図６の実線を参照）との間で、長穴部２２２に沿って上下方向に移動自在に第１装飾ベース部材２２１に支持される。なお、第１装飾部材２１０は、第２装飾部材２１５が当接しないときには、（付勢力として）重力により第１可動位置に位置するように、第１装飾ベース部材２２１に支持される。
【００２４】
第２装飾ベース部材２３１は、図７および図８に示すように、樹脂材料を用いて門形に延びる板状に形成される。第２装飾ベース部材２３１の右側に、上下方向に延びる右スライドガイド部２３２Ｒが形成される。右スライドガイド部２３２Ｒの前面側には、右スライド部材２４１Ｒが上下方向にスライド移動自在に取り付けられる。第２装飾ベース部材２３１の右上部後面側に、筒状の右モータ取付部２３３Ｒが形成される。右モータ取付部２３３Ｒには、装飾部材駆動部２６０の右側装飾部材用駆動モータ２６１Ｒが取り付けられる。また、第２装飾ベース部材２３１の右上部に、右モータ取付部２３３Ｒの下方に並んで右ギヤ取付部２３４Ｒが形成される。右ギヤ取付部２３４Ｒには、装飾部材駆動部２６０の右側装飾部材用ギヤ機構２６３Ｒが取り付けられる。
【００２５】
詳細な図示を省略するが、第２装飾ベース部材２３１の左側に、右スライドガイド部２３２Ｒと左右対称に左スライドガイド部２３２Ｌが形成される。左スライドガイド部２３２Ｌの前面側には、左スライド部材２４１Ｌ（図６を参照）が上下方向にスライド移動自在に取り付けられる。第２装飾ベース部材２３１の左上部後面側に、右モータ取付部２３３Ｒと左右対称に左モータ取付部２３３Ｌが形成される。左モータ取付部２３３Ｌには、装飾部材駆動部２６０の左側装飾部材用駆動モータ２６１Ｌが取り付けられる。また、第２装飾ベース部材２３１の左上部に、右ギヤ取付部２３４Ｒと左右対称に左ギヤ取付部２３４Ｌが形成される。左ギヤ取付部２３４Ｌには、装飾部材駆動部２６０の左側装飾部材用ギヤ機構（図示せず）が取り付けられる。
【００２６】
図９（ｂ）に示すように、第２装飾ベース部材２３１の上部右側に、右ロック部材取付部２３５Ｒおよび右ソレノイド取付部２３６Ｒが左右に並んで形成される。右ロック部材取付部２３５Ｒには、ロック機構部２７０の右ロック部材２７１Ｒが左右方向にスライド移動自在に取り付けられる。右ソレノイド取付部２３６Ｒには、ロック解除部２８０の右ソレノイド２８１Ｒが取り付けられる。
【００２７】
詳細な図示を省略するが、第２装飾ベース部材２３１の上部左側には、左ロック部材取付部および左ソレノイド取付部（図示せず）が、右ロック部材取付部２３５Ｒおよび右ソレノイド取付部２３６Ｒと左右対称に形成される。左ロック部材取付部には、ロック機構部２７０の左ロック部材（図示せず）が左右方向にスライド移動自在に取り付けられる。左ソレノイド取付部には、ロック解除部２８０の左ソレノイドが取り付けられる。また、図８に示すように、第２装飾ベース部材２３１の上部中央に、平板状の上部結合部２３８が形成される。上部結合部２３８には、第１装飾ベース部材２２１が結合される。
【００２８】
右スライド部材２４１Ｒは、図８に示すように、樹脂材料を用いて上下方向に延びる板状に形成され、第２装飾ベース部材２３１の右スライドガイド部２３２Ｒに、上下方向にスライド移動自在に取り付けられる。右スライド部材２４１Ｒの左上部は、ネジ等の結合手段（図示せず）により第２装飾部材２１５の右端部と結合される。右スライド部材２４１Ｒの右側部に、上下方向に延びるラックギヤ部２４２Ｒが形成される。ラックギヤ部２４２Ｒは、装飾部材駆動部２６０の右側装飾部材用ギヤ機構２６３Ｒに設けられたピニオンギヤ（図示せず）と噛合する。右スライド部材２４１Ｒの前面側に、前方に突出するリ
ブ状のバネ連結部２４３Ｒが上下方向に延びて形成される。バネ連結部２４３Ｒは、右スライドカバー部材２４６Ｒの逃げ穴部２４８Ｒに挿通されて外側に突出し、ネジ等の結合手段（図示せず）により、右バネ受け部材２５１Ｒと連結されるようになっている。なお、図９（ｂ）に示すように、右スライド部材２４１Ｒの上端部左側に、ロック機構部２７０を構成する移動側ロック爪部２７８Ｌが形成される（詳細は後述する）。
【００２９】
左スライド部材２４１Ｌは、詳細な図示を省略するが、右スライド部材２４１Ｒと左右対称に形成され、第２装飾ベース部材２３１の左スライドガイド部２３２Ｌに、上下方向にスライド移動自在に取り付けられる。左スライド部材２４１Ｌの右上部は、ネジ等の結合手段（図示せず）により第２装飾部材２１５の左端部と結合される。左スライド部材２４１Ｌには、右スライド部材２４１Ｒと同様に、ラックギヤ部（図示せず）、バネ連結部（図示せず）、移動側ロック爪部２７８Ｌ（図６を参照）等が形成される。
【００３０】
このように、左スライド部材２４１Ｌおよび右スライド部材２４１Ｒと結合された第２装飾部材２１５は、第２装飾ベース部材２３１に対し上下方向に往復移動自在に支持される。そして、第２装飾部材２１５は、第１可動位置に位置する第１装飾部材２１０から下方に離れた離間位置（図６を参照）から、第１可動位置に位置する第１装飾部材２１０と当接可能な当接位置まで移動し、さらに、第１装飾部材と当接したまま第１装飾部材と一緒に上方に移動して所定の当接保持位置（図５を参照）まで移動することができる。なお、当接保持位置は、第２装飾部材２１５に押圧される第１装飾部材２１０が第２可動位置を越えない範囲で設定される。
【００３１】
右スライドカバー部材２４６Ｒは、図５および図８に示すように、樹脂材料を用いて第２装飾ベース部材２３１の右側部分の形状に合わせた蓋状に形成され、第２装飾ベース部材２３１の右前面側を覆うように第２装飾ベース部材２３１の右側部分に取り付けられる。右スライドカバー部材２４６Ｒの上部前面側に、ボス状の固定側バネ取付部２４７Ｒが形成される。固定側バネ取付部２４７Ｒには、右補助駆動バネ２５６Ｒの上端部が取り付け固定される。右スライドカバー部材２４６Ｒの中間部に、上下方向に延びる長穴状の逃げ穴部２４８Ｒが形成される。逃げ穴部２４８Ｒには、右スライド部材２４１Ｒのバネ連結部２４３Ｒが挿通されて上下方向に移動できるようになっている。
【００３２】
左スライドカバー部材２４６Ｌは、図５および図８に示すように、樹脂材料を用いて第２装飾ベース部材２３１の左側部分の形状に合わせた蓋状に形成され、第２装飾ベース部材２３１の左前面側を覆うように第２装飾ベース部材２３１の左側部分に取り付けられる。左スライドカバー部材２４６Ｌの上部前面側に、ボス状の固定側バネ取付部２４７Ｌが形成される。固定側バネ取付部２４７Ｌには、左補助駆動バネ２５６Ｌの上端部が取り付け固定される。左スライドカバー部材２４６Ｌの中間部に、上下方向に延びる長穴状の逃げ穴部２４８Ｌが形成される。逃げ穴部２４８Ｌには、左スライド部材２４１Ｌのバネ連結部（図示せず）が挿通されて上下方向に移動できるようになっている。
【００３３】
右バネ受け部材２５１Ｒは、図５および図８に示すように、樹脂材料を用いて上下方向に延びる板状に形成される。右バネ受け部材２５１Ｒは、右スライドカバー部材２４６Ｒの逃げ穴部２４８Ｒに挿通された右スライド部材２４１Ｒのバネ連結部２４３Ｒと連結され、右スライドカバー部材２４６Ｒの前面に沿って、右スライド部材２４１Ｒとともに上下方向に移動できるようになっている。右バネ受け部材２５１Ｒの前面側に、ボス状の移動側バネ取付部２５２Ｒが形成される。移動側バネ取付部２５２Ｒには、右補助駆動バネ２５６Ｒの下端部が取り付け固定される。
【００３４】
左バネ受け部材２５１Ｌは、図５および図８に示すように、樹脂材料を用いて上下方向に延びる板状に形成される。左バネ受け部材２５１Ｌは、左スライドカバー部材２４６Ｌ
の逃げ穴部２４８Ｌに挿通された左スライド部材２４１Ｌのバネ連結部（図示せず）と連結され、左スライドカバー部材２４６Ｌの前面に沿って、左スライド部材２４１Ｌとともに上下方向に移動できるようになっている。左バネ受け部材２５１Ｌの前面側に、ボス状の移動側バネ取付部２５２Ｌが形成される。移動側バネ取付部２５２Ｌには、左補助駆動バネ２５６Ｌの下端部が取り付け固定される。
【００３５】
右補助駆動バネ２５６Ｒは、図５および図８に示すように、引張コイルバネを用いて構成される。右補助駆動バネ２５６Ｒの上端部が右スライドカバー部材２４６Ｒの固定側バネ取付部２４７Ｒに取り付け固定されるとともに、右補助駆動バネ２５６Ｒの下端部が右バネ受け部材２５１Ｒの移動側バネ取付部２５２Ｒに取り付け固定される。右補助駆動バネ２５６Ｒは、第２装飾部材２１５が前述の当接位置から下方の離間位置へ移動すると、右バネ受け部材２５１Ｒに引っ張られて下方へ伸びるように弾性変形し、右バネ受け部材２５１Ｒおよび右スライド部材２４１Ｒを介して、第２装飾部材２１５が上方へ移動する方向に付勢力を加えるようになっている。
【００３６】
左補助駆動バネ２５６Ｌは、図５および図８に示すように、引張コイルバネを用いて構成される。左補助駆動バネ２５６Ｌの上端部が左スライドカバー部材２４６Ｌの固定側バネ取付部２４７Ｌに取り付け固定されるとともに、左補助駆動バネ２５６Ｌの下端部が左バネ受け部材２５１Ｌの移動側バネ取付部２５２Ｌに取り付け固定される。左補助駆動バネ２５６Ｌは、第２装飾部材２１５が前述の当接位置から下方の離間位置へ移動すると、左バネ受け部材２５１Ｌに引っ張られて下方へ伸びるように弾性変形し、左バネ受け部材２５１Ｌおよび左スライド部材２４１Ｌを介して、第２装飾部材２１５が上方へ移動する方向に付勢力を加えるようになっている。右補助駆動バネ２５６Ｒおよび左補助駆動バネ２５６Ｌの付勢力により、第２装飾部材２１５を上方へ移動させる装飾部材駆動部２６０の負荷を形成させることができる。
【００３７】
装飾部材駆動部２６０は、左スライド部材２４１Ｌおよび右スライド部材２４１Ｒを駆動し、左スライド部材２４１Ｌおよび右スライド部材２４１Ｒと結合された第２装飾部材２１５を上下方向に往復移動させる。装飾部材駆動部２６０は、図７および図８に示すように、右側装飾部材用駆動モータ２６１Ｒと、左側装飾部材用駆動モータ２６１Ｌと、右側装飾部材用ギヤ機構２６３Ｒと、左側装飾部材用ギヤ機構（図示せず）とを有して構成される。
【００３８】
右側装飾部材用駆動モータ２６１Ｒは、第２装飾ベース部材２３１の右モータ取付部２３３Ｒに取り付けられ、右側装飾部材用ギヤ機構２６３Ｒの各ギヤ（図示せず）を回転させる。右側装飾部材用ギヤ機構２６３Ｒは、第２装飾ベース部材２３１の右ギヤ取付部２３４Ｒに取り付けられ、右側装飾部材用ギヤ機構２６３Ｒを構成するピニオンギヤ（図示せず）が右スライド部材２４１Ｒのラックギヤ部２４２Ｒと噛合するようになっている。そして、右側装飾部材用駆動モータ２６１Ｒにより右側装飾部材用ギヤ機構２６３Ｒの各ギヤを回転させることで、ラックギヤ部２４２Ｒが設けられた右スライド部材２４１Ｒを上下方向にスライド移動させる。
【００３９】
左側装飾部材用駆動モータ２６１Ｌは、第２装飾ベース部材２３１の左モータ取付部２３３Ｌに取り付けられ、左側装飾部材用ギヤ機構の各ギヤ（図示せず）を回転させる。左側装飾部材用ギヤ機構は、詳細な図示を省略するが、第２装飾ベース部材２３１の左ギヤ取付部２３４Ｌに取り付けられ、右側装飾部材用ギヤ機構２６３Ｒと同様に構成される。そして、左側装飾部材用駆動モータ２６１Ｌにより左側装飾部材用ギヤ機構の各ギヤ（図示せず）を回転させることで、ラックギヤ部（図示せず）が設けられた左スライド部材２４１Ｌを上下方向にスライド移動させる。なお、左側装飾部材用駆動モータ２６１Ｌと右側装飾部材用駆動モータ２６１Ｒとが同期して作動することにより、左スライド部材２４
１Ｌと右スライド部材２４１Ｒとが、同じ高さを保った状態で上下方向にスライド移動するように構成される。
【００４０】
ロック機構部２７０は、図８および図９（ｂ）に示すように、右ロック部材２７１Ｒと、左ロック部材（図示せず）と、右スライド部材２４１Ｒに形成された移動側ロック爪部２７８Ｒと、左スライド部材２４１Ｌに形成された移動側ロック爪部２７８Ｌ（図６を参照）とを有して構成される。ロック機構部２７０は、前述の当接保持位置に移動した第２装飾部材２１５を下方へ動かないように固定保持できるようになっている。
【００４１】
右ロック部材２７１Ｒは、樹脂材料を用いてブロック状に形成される。右ロック部材２７１Ｒには、直方体状の本体部２７２Ｒと、爪状の固定側ロック爪部２７３Ｒとが形成される。本体部２７２Ｒの上面および下面は、第２装飾ベース部材２３１の右ロック部材取付部２３５Ｒに摺接可能に支持される。これにより、右ロック部材２７１Ｒは、第２装飾ベース部材２３１の右ロック部材取付部２３５Ｒに、右スライド部材２４１Ｒの移動側ロック爪部２７８Ｒと係合可能なロック可能位置と、移動側ロック爪部２７８Ｒとの係合を解除可能なロック解除位置とに、左右方向にスライド移動自在に取り付けられる。右ロック部材２７１Ｒの本体部２７２Ｒと、右ロック部材２７１Ｒの左方に並んで取り付けられたロック解除部２８０の右ソレノイド２８１Ｒ（フレーム２８２Ｒ）との間に、右ロック部材２７１Ｒがロック可能位置へ向かう右方向に付勢力を加えるロックバネ（図示せず）が取り付けられる。ロックバネは、圧縮コイルバネを用いて構成される。
【００４２】
固定側ロック爪部２７３Ｒは、本体部２７２Ｒの右端部に右方に突出して形成される。固定側ロック爪部２７３Ｒは、先端側で下方に向けて傾斜した傾斜面を有している。移動側ロック爪部２７８Ｒは、右スライド部材２４１Ｒの上端部左側に左方に突出して形成される。移動側ロック爪部２７８Ｒは、先端側で上方に向けて傾斜した傾斜面を有している。右スライド部材２４１Ｒと結合された第２装飾部材２１５が当接保持位置に移動する際、まず、上方に動く移動側ロック爪部２７８Ｒの先端側の傾斜面が、固定側ロック爪部２７３Ｒの先端側の傾斜面に摺接し、固定側ロック爪部２７３Ｒがロックバネ（図示せず）の付勢力に抗して左方に押圧される。そして、移動側ロック爪部２７８Ｒが固定側ロック爪部２７３Ｒの上方に達すると、固定側ロック爪部２７３Ｒがロックバネの付勢力を受けて右方のロック可能位置に戻り、固定側ロック爪部２７３Ｒと移動側ロック爪部２７８Ｒとが係合するようになっている。
【００４３】
詳細な図示を省略するが、左ロック部材（図示せず）は、右ロック部材２７１Ｒと左右対称に構成される。左スライド部材２４１Ｌの移動側ロック爪部２７８Ｌは、右スライド部材２４１Ｒの移動側ロック爪部２７８Ｒと左右対称に形成される。そして、左スライド部材２４１Ｌと結合された第２装飾部材２１５が当接保持位置に移動する際、右ロック部材２７１Ｒの場合と同様に、左ロック部材の固定側ロック爪部（図示せず）と左スライド部材２４１Ｌの移動側ロック爪部２７８Ｌとが係合するようになっている。このように、右ロック部材２７１Ｒの固定側ロック爪部２７３Ｒと右スライド部材２４１Ｒの移動側ロック爪部２７８Ｒとが係合するとともに、左ロック部材の固定側ロック爪部と左スライド部材２４１Ｌの移動側ロック爪部２７８Ｌとが係合することで、ロック機構部２７０は、第２装飾部材２１５を当接保持位置で固定保持することができる。
【００４４】
ロック解除部２８０は、右ソレノイド２８１Ｒと、左ソレノイド（図示せず）とを有して構成される。ロック解除部２８０は、ロック機構部２７０による第２装飾部材２１５の固定保持を解除して、当接保持位置に位置する第２装飾部材２１５を往復移動可能にすることができるようになっている。
【００４５】
右ソレノイド２８１Ｒは、第２装飾ベース部材２３１において右ロック部材取付部２３
５Ｒの左方に並んで形成された右ソレノイド取付部２３６Ｒに取り付けられる。右ソレノイド２８１Ｒは、枠状のフレーム２８２Ｒと、フレーム２８２Ｒに収容されて磁界を発生させるコイル２８３Ｒと、コイル２８３Ｒの内部に固定された固定鉄芯（図示せず）と、コイル２８３Ｒで発生する磁界を利用して駆動される可動鉄芯２８５Ｒとを有して構成される。可動鉄芯２８５Ｒは、左右方向に延びて先端部が右ロック部材２７１Ｒの本体部２７２Ｒと連結され、コイル２８３Ｒに通電されて磁界が発生すると、固定鉄芯に向けて左方へ引き寄せられるようになっている。右ソレノイド２８１Ｒが作動状態のとき、ロックバネ（図示せず）の付勢力に抗して、可動鉄芯２８５Ｒとともに右ロック部材２７１Ｒが左方のロック解除位置にスライド移動する。一方、右ソレノイド２８１Ｒが非作動状態のとき、ロックバネ（図示せず）の付勢力を受けて、可動鉄芯２８５Ｒとともに右ロック部材２７１Ｒが右方のロック可能位置にスライド移動する。これにより、右ソレノイド２８１Ｒは、右ロック部材２７１Ｒをロック解除位置とロック可能位置とにスライド移動させることができる。
【００４６】
詳細な図示を省略するが、左ソレノイド（図示せず）は、右ソレノイド２８１Ｒと左右対称に構成される。そして、左ソレノイドは、右ソレノイド２８１Ｒの場合と同様に、左ロック部材（図示せず）をロック解除位置とロック可能位置とにスライド移動させることができるようになっている。
【００４７】
右ソレノイド２８１Ｒにより右ロック部材２７１Ｒがロック解除位置にスライド移動すると、右ロック部材２７１Ｒの固定側ロック爪部２７３Ｒが右スライド部材２４１Ｒの移動側ロック爪部２７８Ｒから左方に離れて、当該固定側ロック爪部２７３Ｒと移動側ロック爪部２７８Ｒとの係合が解除される。左ソレノイド（図示せず）により左ロック部材（図示せず）がロック解除位置にスライド移動すると、左ロック部材の固定側ロック爪部（図示せず）が左スライド部材２４１Ｌの移動側ロック爪部２７８Ｌから右方に離れて、当該固定側ロック爪部と移動側ロック爪部２７８Ｌとの係合が解除される。このように、右ソレノイド２８１Ｒを作動状態にして右ロック部材２７１Ｒをロック解除位置にスライド移動させるとともに、左ソレノイドを作動状態にして左ロック部材をロック解除位置にスライド移動させることで、ロック解除部２８０は、ロック機構部２７０による第２装飾部材２１５の固定保持を解除することができる。
【００４８】
以上のように構成される上部可動演出装置２００において、看板型装飾２０１（図４および図５を参照）を上下二体に分離する演出を行うには、まず、ロック解除部２８０が、ロック機構部２７０による第２装飾部材２１５の固定保持を解除して、当接保持位置に位置する第２装飾部材２１５を往復移動可能にする。このとき、前述したように、ロック解除部２８０の右ソレノイド２８１Ｒを作動状態にしてロック機構部２７０の右ロック部材２７１Ｒをロック解除位置にスライド移動させ、右ロック部材２７１Ｒの固定側ロック爪部２７３Ｒと右スライド部材２４１Ｒの移動側ロック爪部２７８Ｒとの係合を解除する。また、ロック解除部２８０の左ソレノイド（図示せず）を作動状態にしてロック機構部２７０の左ロック部材（図示せず）をロック解除位置にスライド移動させ、左ロック部材の固定側ロック爪部（図示せず）と左スライド部材２４１Ｌの移動側ロック爪部２７８Ｌとの係合を解除する。
【００４９】
次に、装飾部材駆動部２６０が、装飾ベース部２２０の左スライド部材２４１Ｌおよび右スライド部材２４１Ｒを駆動し、左スライド部材２４１Ｌおよび右スライド部材２４１Ｒと結合された第２装飾部材２１５を下方に移動させる。このとき、装飾部材駆動部２６０の右側装飾部材用駆動モータ２６１Ｒにより右側装飾部材用ギヤ機構２６３Ｒの各ギヤ（図示せず）を回転させることで、右スライド部材２４１Ｒを下方にスライド移動させるとともに、左側装飾部材用駆動モータ２６１Ｌにより左側装飾部材用ギヤ機構の各ギヤ（図示せず）を回転させることで、左スライド部材２４１Ｌを下方にスライド移動させる。
【００５０】
これにより、左スライド部材２４１Ｌおよび右スライド部材２４１Ｒと結合された第２装飾部材２１５は、前述の当接保持位置（図５を参照）から離間位置（図６を参照）まで下方に移動する。このようにして、図５に示す看板型装飾２０１が、図６に示すように、第１装飾部材２１０の第１装飾形成部２１１と、第２装飾部材２１５の第２装飾形成部２１６とに、上下二体に分離される。
【００５１】
なおこのとき、第１装飾部材２１０は、重力により前述の第１可動位置（図６の二点鎖線を参照）に位置するように、第１装飾ベース部材２２１に支持される。またこのとき、ロック解除部２８０の右ソレノイド２８１Ｒが非作動状態になってロック機構部２７０の右ロック部材２７１Ｒがロック可能位置にスライド移動するとともに、ロック解除部２８０の左ソレノイド（図示せず）を非作動状態になってロック機構部２７０の左ロック部材（図示せず）がロック可能位置にスライド移動する。
【００５２】
第２装飾部材２１５を前述の離間位置から当接保持位置に戻すには、装飾部材駆動部２６０が、装飾ベース部２２０の左スライド部材２４１Ｌおよび右スライド部材２４１Ｒを駆動し、左スライド部材２４１Ｌおよび右スライド部材２４１Ｒと結合された第２装飾部材２１５を上方に移動させる。このとき、装飾部材駆動部２６０の右側装飾部材用駆動モータ２６１Ｒにより右側装飾部材用ギヤ機構２６３Ｒの各ギヤを回転させることで、右スライド部材２４１Ｒを上方にスライド移動させ、左側装飾部材用駆動モータ２６１Ｌにより左側装飾部材用ギヤ機構の各ギヤを回転させることで、左スライド部材２４１Ｌを上方にスライド移動させる。
【００５３】
これにより、左スライド部材２４１Ｌおよび右スライド部材２４１Ｒと結合された第２装飾部材２１５は、離間位置から当接位置まで上方に移動して第１可動位置に位置する第１装飾部材２１０と当接する。さらに、第２装飾部材２１５は、第１装飾部材と当接したまま第１装飾部材と一緒に上方に移動して当接保持位置よりも少しだけ上方の位置まで移動し、装飾部材駆動部２６０の作動が停止した後、重力を受けて下方の当接保持位置へ移動する。このように、本実施形態によれば、第２装飾部材２１５が当接保持位置において第１装飾部材２１０と確実に当接するため、第１装飾部材２１０の第１装飾形成部２１１と第２装飾部材２１５の第２装飾形成部２１６とが隙間なく結合して、装飾性の高い一体の看板型装飾２０１が形成され、上部可動演出装置２００の装飾性をより高めることが可能になる。
【００５４】
なお、第２装飾部材２１５が当接保持位置に位置する際、前述したように、右ロック部材２７１Ｒの固定側ロック爪部２７３Ｒと右スライド部材２４１Ｒの移動側ロック爪部２７８Ｒとが係合するとともに、左ロック部材の固定側ロック爪部（図示せず）と左スライド部材２４１Ｌの移動側ロック爪部２７８Ｌとが係合する。このように、ロック機構部２７０が、第２装飾部材２１５を当接保持位置で固定保持することで、第２装飾部材２１５が不必要に下方（離間位置の方）へ動くのを防止することができ、第２装飾部材２１５が第１装飾部材２１０と当接する状態を確実に維持することができる。
【００５５】
［裏側演出ユニットの構成］
また、図６に示すように、第２装飾部材２１５が離間位置に移動した際、裏側演出ユニット３００の第１装飾片部３６６，３６６および第２装飾片部３７６，３７６が回転して第２装飾部材２１５の後側（裏側）から出現するようになっている。そこで、図１０〜図１３を追加参照して、裏側演出ユニット３００について説明する。裏側演出ユニット３００は、図１０〜図１２に示すように、裏側ベース部３１０と、第１回転演出部材３６０と、第２回転演出部材３７０と、回転駆動部４００とを有して構成される。裏側ベース部３１０は、図１２に示すように、裏側ベース部材３１１と、センサ基板３２１と、中継基板
３３１と、ギヤカバー部材３４１と、発光制御基板３５１とを有して構成される。
【００５６】
裏側ベース部材３１１は、図１１および図１２に示すように、樹脂材料を用いて左右方向に延びる板状に形成される。図１１に示すように、裏側ベース部材３１１の左端部後面側に、筒状のモータ取付部３１２が形成される。モータ取付部３１２には、回転駆動部４００の回転駆動モータ４１０が取り付けられる。裏側ベース部材３１１の左後面側に、モータ取付部３１２の右方に並んでギヤ取付部３１３が形成される。ギヤ取付部３１３には、回転駆動部４００の伝達ギヤ４２０、並列ギヤ４３０、および反転ギヤ４５０が回転自在に取り付けられる。なお、図７に示すように、裏側ベース部材３１１の後面側には、裏側ベース部材３１１の後面側に取り付けられた回転駆動モータ４１０、伝達ギヤ４２０、並列ギヤ４３０、反転ギヤ４５０等の各部品を覆う裏カバー部材３５６が取り付けられる。
【００５７】
図１２に示すように、裏側ベース部材３１１の中央部に、回転駆動部４００の第２駆動ギヤ４７０を挿通させることが可能な円形の中央開口部３１４が形成される。裏側ベース部材３１１の左右端部の前面側に、裏側ベース部材３１１を第２装飾部材２１５の後面側に結合させるためのボス部を有した装飾部材結合部３１５，３１５が形成される。装飾部材結合部３１５は、裏側ベース部材３１１の前面側より前方に突出して形成されており、裏側ベース部材３１１の前面側における左右の装飾部材結合部３１５，３１５の間の部分に、第１回転演出部材３６０および第２回転演出部材３７０が回転自在に取り付け保持される。第２装飾部材２１５の後面側に裏側ベース部材３１１の装飾部材結合部３１５が結合した状態で、第２装飾部材２１５と裏側ベース部材３１１との間に間隙部が形成され、当該間隙部に第１回転演出部材３６０および第２回転演出部材３７０が配置される。
【００５８】
センサ基板３２１は、図１１および図１２に示すように、裏側ベース部材３１１の後面側における伝達ギヤ４２０の前方に重なる位置に取り付けられる。センサ基板３２１の中央部に、回転駆動部４００の伝達ギヤ４２０と連結されたギヤシャフト４２６が挿通される開口部３２２が形成される。センサ基板３２１の後面側には、回転検出センサ３２６が配設される。回転検出センサ３２６は、伝達ギヤ４２０の側部に形成されたリブ４２１を検出することにより、伝達ギヤ４２０が所定の回転基準位置（原点位置）に回転移動したことを検知できるようになっている。これにより、回転駆動部４００により回転駆動される第１回転演出部材３６０（および第２回転演出部材３７０）が所定の第１待機位置（図１０を参照）に回転移動したことを検知することが可能になる。
【００５９】
中継基板３３１は、図１１および図１２に示すように、ギヤカバー部材３４１の内側（前面側）に重ねて取り付けられる。中継基板３３１の中央部に、ギヤカバー部材３４１の支持軸部３４２が挿通される軸挿通孔３３２が形成される。中継基板３３１には、第１回転演出部材３６０および第２回転演出部材３７０に内蔵されたランプ（図示せず）の発光制御を行うための各種電子部品が配設される。
【００６０】
ギヤカバー部材３４１は、図１１および図１２に示すように、樹脂材料を用いて蓋状に形成される。ギヤカバー部材３４１は、回転駆動部４００の第２駆動ギヤ４７０を覆うようにして裏側ベース部材３１１の中央部後面側に取り付けられる。ギヤカバー部材３４１の中央部に、前方に突出する筒状の支持軸部３４２が形成される。支持軸部３４２は、第２駆動ギヤ４７０の軸挿入部４７２に挿入され、軸挿入部４７２に取り付けられた第２軸受部材４７６を介して、支持軸部３４２の外周側で第２駆動ギヤ４７０を回転自在に支持する。支持軸部３４２の内周側に、回転駆動部４００の第１駆動ギヤ４４０と連結された駆動軸４４６が挿通される。支持軸部３４２は、支持軸部３４２の内周側で駆動軸４４６を回転自在に支持する。これにより、第１駆動ギヤ４４０がギヤカバー部材３４１の後面側に回転自在に取り付けられ、第２駆動ギヤ４７０がギヤカバー部材３４１の前面側に回
転自在に取り付けられる。
【００６１】
発光制御基板３５１は、図１１および図１２に示すように、裏側ベース部材３１１の左後面側に取り付けられる。発光制御基板３５１には、第２装飾部材２１５に内蔵されたランプ（図示せず）の発光制御を行うための各種電子部品が配設される。
【００６２】
第１回転演出部材３６０は、図１０および図１２に示すように、樹脂材料を用いてプロペラ状に形成される。第１回転演出部材３６０の中央部に、円盤状の第１円盤部３６１が形成され、第１回転演出部材３６０の外周側に、一対の羽根状の第１装飾片部３６６，３６６が形成される。第１円盤部３６１の外周側に、第１回転規制穴部３６２と、第２回転規制穴部３６３が形成される。第１回転規制穴部３６２は、円弧状に延びる長穴状に形成され、第２回転演出部材３７０の第１回転規制突起部３７２がスライド移動自在に係合する。第２回転規制穴部３６３は、第１回転規制穴部３６２と同心の円弧状に延びる長穴状に形成され、第２回転演出部材３７０の第２回転規制突起部３７３がスライド移動自在に係合する。第１円盤部３６１の中心部に、駆動軸４４６の前端部が連結される軸連結部３６４が形成される。第１回転演出部材３６０は、軸連結部３６４に連結された駆動軸４４６により、裏側ベース部材３１１の前面側に回転自在に取り付け保持される。
【００６３】
第２回転演出部材３７０は、図１０および図１２に示すように、樹脂材料を用いてプロペラ状に形成され、第１回転演出部材３６０と裏側ベース部材３１１との間に配置される。第２回転演出部材３７０の中央部に、第１円盤部３６１の後面側に重なる半円状の第２円盤部３７１が形成され、第２回転演出部材３７０の外周側に、一対の羽根状の第２装飾片部３７６，３７６が形成される。第２円盤部３７１の外周側に、第１回転規制突起部３７２と、第２回転規制突起部３７３が形成される。第１回転規制突起部３７２は、第２円盤部３７１の前面側から前方に突出する突起状に形成され、第１回転演出部材３６０の第１回転規制穴部３６２にスライド移動自在に係合する。第２回転規制突起部３７３は、第２円盤部３７１の前面側から前方に突出する突起状に形成され、第１回転演出部材３６０の第２回転規制穴部３６３にスライド移動自在に係合する。
【００６４】
第２円盤部３７１の中心部に、第１回転演出部材３６０と連結された駆動軸４４６が挿通される軸挿通部３７４が形成される。軸挿通部３７４には、駆動軸４４６と回転自在に摺接する第１軸受部材３７８が、軸受固定部材３７９を用いて取り付けられる。これにより、第２回転演出部材３７０は、第１回転演出部材３６０と同じ回転軸で、第１回転演出部材３６０と別体に回転することができ、第１回転演出部材３６０に対して相対回転することが可能になる。
【００６５】
なお、図１０に示すように、第１装飾片部３６６，３６６と第２装飾片部３７６，３７６とが近接する近接位置に、第２回転演出部材３７０が第１回転演出部材３６０に対して相対回転移動すると、第１回転規制突起部３７２および第２回転規制突起部３７３は、第１回転規制穴部３６２および第２回転規制穴部３６３の反時計回りの端部に当接し、第１装飾片部３６６，３６６と第２装飾片部３７６，３７６とがより近づいて重なる方向への相対回転を規制する。一方、図６に示すように、第１装飾片部３６６，３６６と第２装飾片部３７６，３７６とが離れる開拡位置に、第２回転演出部材３７０が第１回転演出部材３６０に対して相対回転移動すると、第１回転規制突起部３７２および第２回転規制突起部３７３は、第１回転規制穴部３６２および第２回転規制穴部３６３の時計回りの端部に当接し、第１装飾片部３６６，３６６と第２装飾片部３７６，３７６とがより離れる方向への相対回転を規制する。このように、第１回転規制突起部３７２および第２回転規制突起部３７３は、第１回転演出部材３６０に対する第２回転演出部材３７０の相対回転移動範囲を規制する。
【００６６】
回転駆動部４００は、図１１および図１２に示すように、回転駆動モータ４１０と、モータギヤ４１５と、伝達ギヤ４２０と、並列ギヤ４３０と、第１駆動ギヤ４４０と、反転ギヤ４５０と、第２駆動ギヤ４７０とを有して構成される。回転駆動部４００は、第１回転演出部材３６０および第２回転演出部材３７０を回転駆動する。回転駆動モータ４１０は、モータ軸が後方を向くように、裏側ベース部材３１１のモータ取付部３１２に取り付けられる。モータギヤ４１５は、回転駆動モータ４１０のモータ軸に結合され、伝達ギヤ４２０と噛合する。
【００６７】
伝達ギヤ４２０は、伝達ギヤ４２０と連結されたギヤシャフト４２６を用いて、裏側ベース部材３１１のギヤ取付部３１３に回転自在に取り付けられる。伝達ギヤ４２０は、モータギヤ４１５および並列ギヤ４３０の第１ギヤ部４３１と噛合する。伝達ギヤ４２０の側部に、円弧状に延びるリブ４２１が形成される。円弧状のリブ４２１は、伝達ギヤ４２０が所定の回転基準位置（原点位置）に回転移動したときに、回転検出センサ３２６で検出されるように配置される。
【００６８】
並列ギヤ４３０は、並列ギヤ４３０と連結されたギヤシャフト（図示せず）を用いて、裏側ベース部材３１１のギヤ取付部３１３に回転自在に取り付けられる。並列ギヤ４３０は、伝達ギヤ４２０および第１駆動ギヤ４４０と噛合する第１ギヤ部４３１と、第１ギヤ部４３１と一体に形成されて反転ギヤ４５０と噛合する第２ギヤ部４３２とを有して構成される。
【００６９】
第１駆動ギヤ４４０は、前述したように、第１駆動ギヤ４４０と連結された駆動軸４４６を用いて、ギヤカバー部材３４１の後面側に回転自在に取り付けられる。第１駆動ギヤ４４０は、並列ギヤ４３０の第１ギヤ部４３１と噛合する。第１駆動ギヤ４４０の中心部に、駆動軸４４６の後端部が連結される軸連結部４４１が形成される。駆動軸４４６は、前後方向に延びて第１回転演出部材３６０と第１駆動ギヤ４４０とに連結され、回転駆動モータ４１０により第１駆動ギヤ４４０が回転すると、第１駆動ギヤ４４０とともに回転して第１回転演出部材３６０を回転駆動するようになっている。
【００７０】
反転ギヤ４５０は、反転ギヤ４５０と連結されたギヤシャフト（図示せず）を用いて、裏側ベース部材３１１のギヤ取付部３１３に回転自在に取り付けられる。反転ギヤ４５０は、並列ギヤ４３０の第２ギヤ部４３２と噛合する駆動側ギヤ部４５１と、駆動側ギヤ部４５１と別体に形成されて第２駆動ギヤ４７０と噛合する従動側ギヤ部４５６と、駆動側ギヤ部４５１と従動側ギヤ部４５６とに連結されるトルクリミッタ４６１（図１３を参照）とを有して構成される。
【００７１】
図１３（ａ）に示すように、駆動側ギヤ部４５１の中央部前側（内側）に、トルクリミッタ４６１の第１係合突起部４６３が係合可能な第１係合溝部４５２が形成される。駆動側ギヤ部４５１の中心部に、従動側ギヤ部４５６の軸部４５８が回転自在に係合する軸係合穴部４５３が前後に貫通して形成される。図１３（ｂ）に示すように、従動側ギヤ部４５６の中央部後側（内側）に、トルクリミッタ４６１の第２係合突起部４６４が係合する第２係合溝部４５７が形成される。従動側ギヤ部４５６の中心部後側（内側）に、後方に向けて突出する軸部４５８が形成される。図１３（ａ）に示すように、従動側ギヤ部４５６の中心部前側（外側）に、ギヤシャフト（図示せず）の一端が連結されるギヤシャフト連結部４５９が形成される。
【００７２】
従動側ギヤ部４５６の軸部４５８を駆動側ギヤ部４５１の軸係合穴部４５３に係合させることで、従動側ギヤ部４５６が駆動側ギヤ部４５１に対して相対回転可能に連結される。トルクリミッタ４６１は、第１係合突起部４６３が駆動側ギヤ部４５１の第１係合溝部４５２に係合し、第２係合突起部４６４が従動側ギヤ部４５６の第２係合溝部４５７に係
合した状態で、互いに連結された駆動側ギヤ部４５１および従動側ギヤ部４５６の内側に収容される。駆動側ギヤ部４５１（もしくは従動側ギヤ部４５６）に作用するトルクが所定の規制トルクより小さいと、トルクリミッタ４６１は、駆動側ギヤ部４５１と従動側ギヤ部４５６とを一体的に回転させる。駆動側ギヤ部４５１（もしくは従動側ギヤ部４５６）に作用するトルクが規制トルク以上の大きさになると、トルクリミッタ４６１は、駆動側ギヤ部４５１から従動側ギヤ部４５６へのトルクの伝達を断つ状態となり、駆動側ギヤ部４５１および従動側ギヤ部４５６のうち一方を他方に対して相対回転可能にする。
【００７３】
第２駆動ギヤ４７０は、前述したように、ギヤカバー部材３４１の前面側に回転自在に取り付けられる。第２駆動ギヤ４７０の側部に、ギヤ連結穴部４７１が貫通して形成される。ネジ等の結合手段（図示せず）をギヤ連結穴部４７１に挿通させて第２回転演出部材３７０の第２円盤部３７１に結合させることで、第２回転演出部材３７０の第２円盤部３７１の後面側に第２駆動ギヤ４７０が連結される。これにより、第２回転演出部材３７０は、第２円盤部３７１に連結された第２駆動ギヤ４７０により、裏側ベース部材３１１の前面側に回転自在に取り付け保持される。第２駆動ギヤ４７０の中心部に、ギヤカバー部材３４１の支持軸部３４２が挿入される軸挿入部４７２が形成される。軸挿入部４７２には、ギヤカバー部材３４１の支持軸部３４２が回転自在に摺接する第２軸受部材４７６が取り付けられる。
【００７４】
また、第２駆動ギヤ４７０の中心軸と、第２回転演出部材３７０の中心軸とが一致するように、第２回転演出部材３７０の第２円盤部３７１の後面側に第２駆動ギヤ４７０が連結され、第２駆動ギヤ４７０の軸挿入部４７２は、第２回転演出部材３７０の軸挿通部３７４と位置整合するようになっている。これにより、軸挿入部４７２に挿入されたギヤカバー部材３４１の支持軸部３４２の内周側と、第２回転演出部材３７０の軸挿通部３７４とに、第１回転演出部材３６０と第１駆動ギヤ４４０とに連結された駆動軸４４６を挿通させることができる。
【００７５】
以上のように構成される裏側演出ユニット３００において、通常時には、図１０に示すように、第１回転演出部材３６０が、裏側ベース部材３１１の前面側に重なる第１待機位置に回転移動する。また、第２回転演出部材３７０が、第１回転演出部材３６０に対して前述の近接位置に相対回転移動する状態で、裏側ベース部材３１１の前面側に重なる第２待機位置に回転移動する。これにより、第１装飾片部３６６，３６６および第２装飾片部３７６，３７６が第２装飾部材２１５の後側（裏側）に隠れるように配置される。前述したように、第２装飾部材２１５が離間位置に移動する際、回転駆動部４００により第１回転演出部材３６０および第２回転演出部材３７０を回転させて、第１装飾片部３６６，３６６および第２装飾片部３７６，３７６を第２装飾部材２１５の後側（裏側）から出現させる演出が行われる。なお、第１回転演出部材３６０が第１待機位置に回転移動すると、回転駆動部４００の伝達ギヤ４２０が所定の回転基準位置（原点位置）に回転移動するように設定される。
【００７６】
回転駆動部４００の回転駆動モータ４１０によりモータギヤ４１５が回転して、伝達ギヤ４２０が所定の回転基準位置から（前方から見て）反時計回りに回転すると、並列ギヤ４３０の第１ギヤ部４３１を介して、第１駆動ギヤ４４０が反時計回りに回転する。第１駆動ギヤ４４０が反時計回りに回転すると、駆動軸４４６を介して第１駆動ギヤ４４０と連結された第１回転演出部材３６０が反時計回りに回転する。これにより、第１回転演出部材３６０が第１待機位置から反時計回りに回転移動し、図６に示すように、第１回転演出部材３６０の第１装飾片部３６６，３６６が回転して第２装飾部材２１５の後側（裏側）から出現する。
【００７７】
また、伝達ギヤ４２０が所定の回転基準位置から（前方から見て）反時計回りに回転す
ると、並列ギヤ４３０の第２ギヤ部４３２を介して、反転ギヤ４５０の駆動側ギヤ部４５１および従動側ギヤ部４５６が一体的に反時計回りに回転する。反転ギヤ４５０の従動側ギヤ部４５６が反時計回りに回転すると、第２駆動ギヤ４７０が時計回りに回転する。第２駆動ギヤ４７０が時計回りに回転すると、第２駆動ギヤ４７０と連結された第２回転演出部材３７０が時計回りに回転する。これにより、第２回転演出部材３７０が第２待機位置から第１回転演出部材３６０と逆方向の時計回りに回転移動し、第２回転演出部材３７０の第２装飾片部３７６，３７６が回転して第２装飾部材２１５の後側（裏側）から出現する。
【００７８】
このとき、第２回転演出部材３７０は、第１回転演出部材３６０に対して前述の近接位置から拡開位置に向けて（時計回りに）相対回転移動する。第２回転演出部材３７０が第１回転演出部材３６０に対して拡開位置まで相対回転移動すると、第２回転演出部材３７０の第１回転規制突起部３７２および第２回転規制突起部３７３は、第１回転演出部材３６０に形成された第１回転規制穴部３６２および第２回転規制穴部３６３の時計回りの端部に当接し、第１装飾片部３６６，３６６と第２装飾片部３７６，３７６とがより離れる方向への相対回転を規制する。
【００７９】
第１回転規制突起部３７２および第２回転規制突起部３７３が、第１回転規制穴部３６２および第２回転規制穴部３６３の時計回りの端部に当接すると、第１回転演出部材３６０からの反力が第２回転演出部材３７０および第２駆動ギヤ４７０を介して反転ギヤ４５０の従動側ギヤ部４５６に作用する。この反力に抗して従動側ギヤ部４５６を回転させるために駆動側ギヤ部４５１に作用するトルクが規制トルクに達すると、トルクリミッタ４６１により、駆動側ギヤ部４５１が従動側ギヤ部４５６に対して反時計回りに相対回転可能になる。これにより、回転駆動モータ４１０に過大な負荷をかけることなく、第２回転演出部材３７０が第１回転演出部材３６０に対して拡開位置まで相対回転移動することができる。
【００８０】
第１装飾片部３６６，３６６が第２装飾部材２１５の後側（裏側）から出現する所定の第１出現位置（図６を参照）まで第１回転演出部材３６０が回転移動すると、第２回転演出部材３７０が、第１回転演出部材３６０に対して拡開位置に相対回転移動する状態で、第２装飾片部３７６，３７６が第２装飾部材２１５の後側から出現する所定の第２出現位置（図６を参照）まで回転移動する。このとき、回転駆動モータ４１０が作動を停止すると、第１回転演出部材３６０が第１出現位置で停止するとともに、第２回転演出部材３７０が第２出現位置で停止して、第１装飾片部３６６，３６６および第２装飾片部３７６，３７６が第２装飾部材２１５の後側から出現した状態で固定される。
【００８１】
また、回転駆動モータ４１０が作動を続けると、トルクリミッタ４６１により、反転ギヤ４５０の従動側ギヤ部４５６が駆動側ギヤ部４５１に対して時計回りに（駆動側ギヤ部４５１の回転方向と逆方向に）相対回転可能であるため、第１回転演出部材３６０からの反力（反時計回りの回転駆動力）によって、第２回転演出部材３７０が（駆動側ギヤ部４５１による回転駆動方向とは逆方向の）反時計回りに回転する。そのため、回転駆動モータ４１０が作動を続けると、第１回転演出部材３６０が反時計回りに回転するとともに、第２回転演出部材３７０が、第１回転演出部材３６０に対して拡開位置に相対回転移動する状態で、第１回転演出部材３６０と一体的に反時計回りに回転する。
【００８２】
一方、第１回転演出部材３６０が第１出現位置に位置するとともに、第２回転演出部材３７０が第２出現位置に位置するときに、回転駆動モータ４１０によりモータギヤ４１５が回転して、伝達ギヤ４２０が（前方から見て）時計回りに回転すると、並列ギヤ４３０の第１ギヤ部４３１を介して、第１駆動ギヤ４４０が時計回りに回転する。第１駆動ギヤ４４０が時計回りに回転すると、駆動軸４４６を介して第１駆動ギヤ４４０と連結された
第１回転演出部材３６０が時計回りに回転する。これにより、第１回転演出部材３６０は、第１出現位置から第１待機位置まで時計回りに回転移動する。
【００８３】
また、伝達ギヤ４２０が（前方から見て）時計回りに回転すると、並列ギヤ４３０の第２ギヤ部４３２を介して、反転ギヤ４５０の駆動側ギヤ部４５１および従動側ギヤ部４５６が一体的に時計回りに回転する。反転ギヤ４５０の従動側ギヤ部４５６が時計回りに回転すると、第２駆動ギヤ４７０が反時計回りに回転する。第２駆動ギヤ４７０が反時計回りに回転すると、第２駆動ギヤ４７０と連結された第２回転演出部材３７０が反時計回りに回転する。これにより、第２回転演出部材３７０は、第２出現位置から第２待機位置に向けて第１回転演出部材３６０と逆方向の反時計回りに回転移動する。
【００８４】
このとき、第２回転演出部材３７０は、第１回転演出部材３６０に対して拡開位置から近接位置に向けて（反時計回りに）相対回転移動する。第２回転演出部材３７０が第１回転演出部材３６０に対して近接位置まで相対回転移動すると、第２回転演出部材３７０の第１回転規制突起部３７２および第２回転規制突起部３７３は、第１回転演出部材３６０に形成された第１回転規制穴部３６２および第２回転規制穴部３６３の反時計回りの端部に当接し、第１装飾片部３６６，３６６と第２装飾片部３７６，３７６とがより近づいて重なる方向への相対回転を規制する。
【００８５】
第１回転規制突起部３７２および第２回転規制突起部３７３が、第１回転規制穴部３６２および第２回転規制穴部３６３の反時計回りの端部に当接すると、第１回転演出部材３６０からの反力が第２回転演出部材３７０および第２駆動ギヤ４７０を介して反転ギヤ４５０の従動側ギヤ部４５６に作用する。この反力に抗して従動側ギヤ部４５６を回転させるために駆動側ギヤ部４５１に作用するトルクが規制トルクに達すると、トルクリミッタ４６１により、駆動側ギヤ部４５１が従動側ギヤ部４５６に対して時計回りに相対回転可能になる。これにより、回転駆動モータ４１０に過大な負荷をかけることなく、第２回転演出部材３７０が第１回転演出部材３６０に対して近接位置まで相対回転移動することができる。
【００８６】
ここで、第２回転演出部材３７０が反時計回りに第２待機位置を越える位置まで回転移動したときに、第１回転演出部材３６０に対して近接位置に相対回転移動する場合について述べる。この場合、トルクリミッタ４６１により、反転ギヤ４５０の従動側ギヤ部４５６が駆動側ギヤ部４５１に対して反時計回りに（駆動側ギヤ部４５１の回転方向と逆方向に）相対回転可能であるため、第１回転演出部材３６０からの反力（時計回りの回転駆動力）によって、第２回転演出部材３７０が（駆動側ギヤ部４５１による回転駆動方向とは逆方向の）時計回りに回転する。そのため、回転駆動モータ４１０が作動を続けると、第１回転演出部材３６０が時計回りに回転するとともに、第２回転演出部材３７０が、第１回転演出部材３６０に対して近接位置に相対回転移動する状態で、第１回転演出部材３６０と同じ時計回りに回転し、第１回転演出部材３６０と第２回転演出部材３７０とが一体的に回転する。これにより、第２回転演出部材３７０は、反時計回りに第２待機位置を越える位置まで回転移動した場合でも、第１回転演出部材３６０に対して近接位置に相対回転移動する状態で、第１回転演出部材３６０に押圧されて第２待機位置まで時計回りに回転移動する。
【００８７】
このように、本実施形態によれば、トルクリミッタ４６１により、従動側ギヤ部４５６が駆動側ギヤ部４５１に対して駆動側ギヤ部４５１の回転方向と反対方向に相対回転可能になるため、回転駆動モータ４１０に過大な負荷をかけることなく、一つの回転駆動モータ４１０を用いて、第１回転演出部材３６０と第２回転演出部材３７０とを反対方向もしくは同じ方向にそれぞれ回転させることが可能になる。
【００８８】
［下部可動演出装置の構成］
次に、図１４〜図２３を追加参照して、下部可動演出装置５００について説明する。下部可動演出装置５００は、図１４および図１５に示すように、演出ベース部５１０と、演出可動部５３０と、演出駆動部６００とを有して構成される。下部可動演出装置５００は、遊技盤１００におけるベース部材１１１の下部後側に取り付けられる。演出ベース部５１０は、図１５および図１６に示すように、演出ベース部材５１１と、左右のギヤカバー部材５２１Ｌ，５２１Ｒとを有して構成される。
【００８９】
演出ベース部材５１１は、図１６に示すように、樹脂材料を用いて板状に形成される。演出ベース部材５１１の中央部前面側に、演出可動部５３０の可動部材５４１が取り付けられる可動部材支持部５１２が形成される。可動部材支持部５１２の左側に、上下方向に延びる溝状の左スライド溝部５１３Ｌが形成される。可動部材支持部５１２には、可動部材５４１の左スライドリブ５４２Ｌが摺接可能に係合する。可動部材支持部５１２の右側に、上下方向に延びる溝状の右スライド溝部５１３Ｒが形成される。右スライド溝部５１３Ｒには、可動部材５４１の右スライドリブ５４２Ｒが摺接可能に係合する。これにより、可動部材支持部５１２に取り付けられた可動部材５４１が上下方向にスライド移動可能となる。
【００９０】
演出ベース部材５１１の左端部前面側に、筒状の左モータ取付部５１４Ｌが形成される。左モータ取付部５１４Ｌには、演出駆動部６００の左側可動部材用駆動モータ６１１Ｌが取り付けられる。演出ベース部材５１１の右端部前面側に、筒状の右モータ取付部５１４Ｒが形成される。右モータ取付部５１４Ｒには、演出駆動部６００の右側可動部材用駆動モータ６１１Ｒが取り付けられる。演出ベース部材５１１の左上部前面側に、左モータ取付部５１４Ｌの右方に並んで左ギヤ取付部５１５Ｌが形成される。左ギヤ取付部５１５Ｌには、演出駆動部６００の左側第１中間ギヤ６３１Ｌ、左側第２中間ギヤ６４１Ｌ、および左側ピニオンギヤ６５１Ｌが回転自在に取り付けられる。演出ベース部材５１１の右上部前面側に、右モータ取付部５１４Ｒの左方に並んで右ギヤ取付部５１５Ｌが形成される。右ギヤ取付部５１５Ｌには、演出駆動部６００の右側第１中間ギヤ６３１Ｒ、右側第２中間ギヤ６４１Ｒ、および右側ピニオンギヤ６５１Ｒが回転自在に取り付けられる。
【００９１】
左ギヤカバー部材５２１Ｌは、図１５および図１６に示すように、樹脂材料を用いて蓋状に形成される。左ギヤカバー部材５２１Ｌは、演出ベース部材５１１の左ギヤ取付部５１５Ｌに取り付けられて、演出駆動部６００の左側第１中間ギヤ６３１Ｌ、左側第２中間ギヤ６４１Ｌ、および左側ピニオンギヤ６５１Ｌ等を覆うようになっている。左ギヤカバー部材５２１Ｌの左側に、左側第１中間ギヤ６３１Ｌを回転自在に支持する第１中間ギヤ支持穴部５２２Ｌが形成される。左ギヤカバー部材５２１Ｌの中央上部に、左側第２中間ギヤ６４１Ｌを回転自在に支持する第２中間ギヤ支持穴部５２３Ｌが形成される。左ギヤカバー部材５２１Ｌの右上部に、左側ピニオンギヤ６５１Ｌを回転自在に支持するピニオンギヤ支持穴部５２４Ｌが形成される。
【００９２】
左ギヤカバー部材５２１Ｌの右端部に、上下方向に延びる板状の支持カバー部５２５Ｌが形成される。支持カバー部５２５Ｌは、演出ベース部材５１１に取り付けられた可動部材５４１の左端部前面側（左規制片部５４４Ｌの前面側）を摺接可能に覆うようになっている。左ギヤカバー部材５２１Ｌの中央上部後面側に、突起状の回転規制部５２６Ｌが形成される。回転規制部５２６Ｌは、左ギヤカバー部材５２１Ｌの後方へ突出して延びて、左側第２中間ギヤ６４１Ｌが回転可能な状態で左側第２中間ギヤ６４１Ｌの溝部６４２Ｌに受容されるようになっている。
【００９３】
右ギヤカバー部材５２１Ｒは、図１５に示すように、樹脂材料を用いて蓋状に形成される。右ギヤカバー部材５２１Ｒは、演出ベース部材５１１の右ギヤ取付部５１５Ｌに取り
付けられて、演出駆動部６００の右側第１中間ギヤ６３１Ｒ、右側第２中間ギヤ６４１Ｒ、および右側ピニオンギヤ６５１Ｒ等を覆うようになっている。右ギヤカバー部材５２１Ｒの右側に、右側第１中間ギヤ６３１Ｒを回転自在に支持する第１中間ギヤ支持穴部５２２Ｒが形成される。右ギヤカバー部材５２１Ｒの中央上部に、右側第２中間ギヤ６４１Ｒを回転自在に支持する第２中間ギヤ支持穴部５２３Ｒが形成される。右ギヤカバー部材５２１Ｒの左上部に、右側ピニオンギヤ６５１Ｒを回転自在に支持するピニオンギヤ支持穴部５２４Ｒが形成される。
【００９４】
右ギヤカバー部材５２１Ｒの左端部に、上下方向に延びる板状の支持カバー部５２５Ｒが形成される。支持カバー部５２５Ｒは、演出ベース部材５１１に取り付けられた可動部材５４１の右端部前面側（右規制片部５４４Ｒの前面側）を摺接可能に覆うようになっている。左右のギヤカバー部材５２１Ｌ，５２１Ｒの支持カバー部５２５Ｌ，５２５Ｒによって可動部材５４１の左右端部が覆われる状態で、可動部材５４１が演出ベース部材５１１の前面に重なる第１演出位置（図１７を参照）と、第１演出位置より上方の第２演出位置（図１９を参照）とに、可動部材５４１が演出ベース部材５１１に対し上下方向に往復移動可能に支持される。右ギヤカバー部材５２１Ｒの中央上部後面側に、突起状の回転規制部（図示せず）が形成される。右ギヤカバー部材５２１Ｒの回転規制部は、左ギヤカバー部材５２１Ｌの回転規制部５２６Ｌと同様に形成され、右側第２中間ギヤ６４１Ｒが回転可能な状態で右側第２中間ギヤ６４１Ｒの溝部（図示せず）に受容されるようになっている。
【００９５】
演出可動部５３０は、図１４（ａ）および図１５に示すように、演出表示部５４０と、左右のシャッター部材５６１Ｌ，５６１Ｒと、シャッター駆動部５８０とを有して構成される。演出表示部５４０は、可動部材５４１と、演出表示部材５５１と、小型表示装置５５６とを有して構成され、小型表示装置５５６で所定の演出画像を表示できるようになっている。
【００９６】
可動部材５４１は、図１５に示すように、樹脂材料を用いて板状に形成され、前述したように、演出ベース部５１０の演出ベース部材５１１に対し上下方向に往復移動可能に支持される。可動部材５４１の左後面側に、上下方向に延びるリブ状の左スライドリブ５４２Ｌが形成される。左スライドリブ５４２Ｌは、演出ベース部材５１１の左スライド溝部５１３Ｌに摺接可能に係合する。可動部材５４１の右後面側に、上下方向に延びるリブ状の右スライドリブ５４２Ｒが形成される。右スライドリブ５４２Ｒは、演出ベース部材５１１の右スライド溝部５１３Ｒに摺接可能に係合する。
【００９７】
可動部材５４１の左右端部に、左右一対のラックギヤ５４３Ｌ，５４３Ｒと、左右一対の規制片部５４４Ｌ，５４４Ｒが形成される。可動部材５４１の左端部後側に、上下方向に延びる左ラックギヤ５４３Ｌが形成される。左ラックギヤ５４３Ｌは、演出駆動部６００の左側ピニオンギヤ６５１Ｌと噛合する。可動部材５４１の右端部後側に、上下方向に延びる右ラックギヤ５４３Ｒが形成される。右ラックギヤ５４３Ｒは、演出駆動部６００の右側ピニオンギヤ６５１Ｒと噛合する。
【００９８】
可動部材５４１の左端部前側に、左ラックギヤ５４３Ｌと平行に上下方向に延びる左規制片部５４４Ｌが形成される。左規制片部５４４Ｌは、上下方向に延びる板状に形成される。左規制片部５４４Ｌの上側に、左側ピニオンギヤ６５１Ｌの復帰規制部６５２Ｌが入り込むことが可能な上側切欠き部５４５Ｌが形成される。左規制片部５４４Ｌの下側に、左側ピニオンギヤ６５１Ｌの復帰規制部６５２Ｌが入り込むことが可能な下側切欠き部５４６Ｌが形成される。左規制片部５４４Ｌにおける下側切欠き部５４６Ｌの上側に、下側切欠き部５４６Ｌに入り込んだ復帰規制部６５２Ｌと当接可能な復帰規制側当接部５４７Ｌが形成される。左規制片部５４４Ｌにおける下側切欠き部５４６Ｌの下側に、下側切欠
き部５４６Ｌに入り込んだ復帰規制部６５２Ｌと当接可能な脱落規制側当接部５４８Ｌが形成される。可動部材５４１の右端部前側に、右ラックギヤ５４３Ｒと平行に上下方向に延びる右規制片部５４４Ｒが形成される。右規制片部５４４Ｒは、左規制片部５４４Ｌと左右対称に形成される。右規制片部５４４Ｒには、左規制片部５４４Ｌと同様に、上側切欠き部５４５Ｒ、下側切欠き部５４６Ｒ、復帰規制側当接部５４７Ｒ、および脱落規制側当接部５４８Ｒが形成される。
【００９９】
演出表示部材５５１は、図１５に示すように、樹脂材料を用いて前面側に所定の装飾が施された板状に形成される。演出表示部材５５１は、ネジ等の結合手段を用いて、可動部材５４１の前面側に重ねて結合される。これにより、演出表示部材５５１は、可動部材５４１とともに上下方向に往復移動自在に構成される。演出表示部材５５１の中央上部に、枠状の表示装置取付部５５２が形成され、この表示装置取付部５５２に小型表示装置５５６が前方を向いて取り付けられる。演出表示部材５５１の下部前面側に、左右のシャッター部材５６１Ｌ，５６１Ｒとともにシャッター駆動部５８０が取り付けられるシャッター取付部５５３が形成される。
【０１００】
左右のシャッター部材５６１Ｌ，５６１Ｒは、図１５に示すように、樹脂材料を用いて左右に開閉可能なシャッター状に形成される。左シャッター部材５６１Ｌは、演出表示部材５５１の左前面側に取り付けられ、右シャッター部材５６１Ｒとともに小型表示装置５５６を覆う左閉鎖位置と、小型表示装置５５６を前方から視認可能にする左開放位置（図１４（ａ）を参照）とに、左右方向にスライド移動可能に構成される。左シャッター部材５６１Ｌの下部後側に、左右方向に延びるラックギヤ部５６２Ｌが形成される。ラックギヤ部５６２Ｌは、シャッター駆動部５８０のシャッター駆動ギヤ機構５８６に設けられた左側のピニオンギヤ（図示せず）と噛合する。左シャッター部材５６１Ｌの下部前側に、左右方向に延びる突起を有した板状のシャッタースライド部５６３Ｌが形成される。シャッタースライド部５６３Ｌは、シャッター駆動部５８０のシャッターガイド部材５９６の後面側に形成されたガイド面（図示せず）に、左右方向にスライド移動自在に摺接する。
【０１０１】
右シャッター部材５６１Ｒは、演出表示部材５５１の右前面側に取り付けられ、左シャッター部材５６１Ｌとともに小型表示装置５５６を覆う右閉鎖位置と、小型表示装置５５６を前方から視認可能にする右開放位置（図１４（ａ）を参照）とに、左右方向にスライド移動可能に構成される。右シャッター部材５６１Ｒの下部後側に、左右方向に延びるラックギヤ部５６２Ｒが形成される。ラックギヤ部５６２Ｒは、シャッター駆動部５８０のシャッター駆動ギヤ機構５８６に設けられた右側のピニオンギヤ（図示せず）と噛合する。右シャッター部材５６１Ｒの下部前側に、左右方向に延びる突起を有した板状のシャッタースライド部５６３Ｒが形成される。シャッタースライド部５６３Ｒは、シャッター駆動部５８０のシャッターガイド部材５９６の後面側に形成されたガイド面（図示せず）に、左右方向にスライド移動自在に摺接する。
【０１０２】
シャッター駆動部５８０は、図１５に示すように、シャッター駆動モータ５８１と、シャッター駆動ギヤ機構５８６と、左右の押さえ部材５９１Ｌ，５９１Ｒと、シャッターガイド部材５９６とを有して構成され、左右のシャッター部材５６１Ｌ，５６１Ｒを駆動して左右方向に開閉させる。シャッター駆動モータ５８１は、演出表示部材５５１におけるシャッター取付部５５３の中央部に取り付けられる。シャッター駆動ギヤ機構５８６は、シャッター取付部５５３の左右に亘って取り付けられ、シャッター駆動ギヤ機構５８６を構成する左右のピニオンギヤ（図示せず）が左右のシャッター部材５６１Ｌ，５６１Ｒのラックギヤ部５６２Ｌ，５６２Ｒとそれぞれ噛合するようになっている。そして、シャッター駆動モータ５８１によりシャッター駆動ギヤ機構５８６の各ギヤ（図示せず）を回転させることで、ラックギヤ部５６２Ｌ，５６２Ｒが設けられた左右のシャッター部材５６１Ｌ，５６１Ｒをそれぞれ左右方向にスライド移動させる。
【０１０３】
左右の押さえ部材５９１Ｌ，５９１Ｒは、樹脂材料を用いて小型の板状に形成され、シャッター取付部５５３の左右に取り付けられてシャッター取付部５５３に配線されるケーブルを固定するようになっている。シャッターガイド部材５９６は、樹脂材料を用いて左右方向に延びる板状に形成される。シャッターガイド部材５９６は、シャッター取付部５５３の前面側に所定距離をおいて取り付けられ、シャッター駆動モータ５８１、シャッター駆動ギヤ機構５８６、左右の押さえ部材５９１Ｌ，５９１Ｒ、および左右のシャッター部材５６１Ｌ，５６１Ｒの下部を覆うようになっている。
【０１０４】
演出駆動部６００は、図１６および図１７に示すように、左右の可動部材用駆動モータ６１１Ｌ，６１１Ｒと、左右のモータギヤ６２１Ｌ，６２１Ｒと、左右の第１中間ギヤ６３１Ｌ，６３１Ｒと、左右の第２中間ギヤ６４１Ｌ，６４１Ｒと、左右のピニオンギヤ６５１Ｌ，６５１Ｒとを有して構成される。演出駆動部６００は、演出可動部５３０の可動部材５４１を駆動して演出可動部５３０を上下方向に往復移動させる。
【０１０５】
左側可動部材用駆動モータ６１１Ｌは、モータ軸が後方を向くように、演出ベース部材５１１の左モータ取付部５１４Ｌに取り付けられる。左側モータギヤ６２１Ｌは、左側可動部材用駆動モータ６１１Ｌのモータ軸に結合され、左側第１中間ギヤ６３１Ｌと噛合する。左側第１中間ギヤ６３１Ｌは、演出ベース部材５１１の左ギヤ取付部５１５Ｌに回転自在に取り付けられる。左側第１中間ギヤ６３１Ｌは、左側モータギヤ６２１Ｌおよび左側第２中間ギヤ６４１Ｌと噛合する。
【０１０６】
左側第２中間ギヤ６４１Ｌは、演出ベース部材５１１の左ギヤ取付部５１５Ｌに回転自在に取り付けられる。左側第２中間ギヤ６４１Ｌは、左側第１中間ギヤ６３１Ｌおよび左側ピニオンギヤ６５１Ｌと噛合する。左側第２中間ギヤ６４１Ｌは、左側ピニオンギヤ６５１Ｌよりも径が大きくなるように（歯数が多くなるように）形成され、左側第２中間ギヤ６４１Ｌが１回転するまでに、左側ピニオンギヤ６５１Ｌが１回転以上回転できるように構成される。なお、左側第２中間ギヤ６４１Ｌは、左側第１中間ギヤ６３１Ｌと同じ形状に形成されているが、これに限られるものではない。左側第２中間ギヤ６４１Ｌの側部には、円弧状の溝部６４２Ｌが形成される。溝部６４２Ｌは左ギヤカバー部材５２１Ｌの回転規制部５２６Ｌを受容し、回転規制部５２６Ｌが左側第２中間ギヤ６４１Ｌの回転に応じて円弧状に延びる溝部６４２Ｌの内側で相対移動するようになっている。左側第２中間ギヤ６４１Ｌの側部における溝部６４２Ｌの端部に、溝部６４２Ｌに受容された回転規制部５２６Ｌが当接可能なストッパー部６４３Ｌが形成される。
【０１０７】
左側ピニオンギヤ６５１Ｌは、演出ベース部材５１１の左ギヤ取付部５１５Ｌに回転自在に取り付けられる。左側ピニオンギヤ６５１Ｌは、左側第２中間ギヤ６４１Ｌと噛合する。左側ピニオンギヤ６５１Ｌの側部における外周側に、前方に突出する復帰規制部６５２Ｌが形成される。復帰規制部６５２Ｌは、断面視扇形のブロック状に形成される。復帰規制部６５２Ｌの外周面に、可動部材５４１に形成された左規制片部５４４Ｌの復帰規制側当接部５４７Ｌが当接して受け止めることが可能な当接面部６５３Ｌが形成される。
【０１０８】
右側可動部材用駆動モータ６１１Ｒは、モータ軸が後方を向くように、演出ベース部材５１１の右モータ取付部５１４Ｒに取り付けられる。右側モータギヤ６２１Ｒは、右側可動部材用駆動モータ６１１Ｒのモータ軸に結合され、右側第１中間ギヤ６３１Ｒと噛合する。右側第１中間ギヤ６３１Ｒは、演出ベース部材５１１の右ギヤ取付部５１５Ｒに回転自在に取り付けられる。右側第１中間ギヤ６３１Ｒは、右側モータギヤ６２１Ｒおよび右側第２中間ギヤ６４１Ｒと噛合する。
【０１０９】
右側第２中間ギヤ６４１Ｒは、演出ベース部材５１１の右ギヤ取付部５１５Ｒに回転自
在に取り付けられる。右側第２中間ギヤ６４１Ｒは、右側第１中間ギヤ６３１Ｒおよび右側ピニオンギヤ６５１Ｒと噛合する。右側第２中間ギヤ６４１Ｒは、左側第２中間ギヤ６４１Ｌと左右対称に形成される。右側第２中間ギヤ６４１Ｒには、左側第２中間ギヤ６４１Ｌと同様に、溝部およびストッパー部（図示せず）が形成される。
【０１１０】
右側ピニオンギヤ６５１Ｒは、演出ベース部材５１１の右ギヤ取付部５１５Ｒに回転自在に取り付けられる。右側ピニオンギヤ６５１Ｒは、右側第２中間ギヤ６４１Ｒと噛合する。右側ピニオンギヤ６５１Ｒは、左側ピニオンギヤ６５１Ｌと左右対称に形成される。右側ピニオンギヤ６５１Ｒには、左側ピニオンギヤ６５１Ｌと同様に、復帰規制部（図示せず）が形成される。
【０１１１】
以上のように構成される下部可動演出装置５００において、演出可動部５３０の可動部材５４１は、前述の第１演出位置（図１７を参照）と第２演出位置（図１９を参照）との間で、演出ベース部５１０の演出ベース部材５１１に対し上下方向に往復移動可能に支持される。演出可動部５３０は、演出駆動部６００により可動部材５４１が第１演出位置に移動すると、遊技盤１００におけるベース部材１１１の下部後側に隠れるように配置される（図４を参照）。一方、演出可動部５３０は、演出駆動部６００により可動部材５４１が第２演出位置に移動すると、遊技盤１００の中央部後側に（視認部１５１を通じて）前方から視認可能に配置され、左右のシャッター部材５６１Ｌ，５６１Ｒを開閉させて小型表示装置５５６で所定の演出画像を表示する演出を行う。
【０１１２】
図１８に示すように、可動部材５４１が第１演出位置に移動すると、演出駆動部６００の左側ピニオンギヤ６５１Ｌおよび右側ピニオンギヤ６５１Ｒがそれぞれ所定の回転基準位置（原点位置）に回転移動するように設定される。このとき、左側ピニオンギヤ６５１Ｌの復帰規制部６５２Ｌは、左側ピニオンギヤ６５１Ｌの回転軸の右下方に回転移動し、左規制片部５４４Ｌの上側切欠き部５４５Ｌに入り込むようになっている。同様に、右側ピニオンギヤ６５１Ｒの復帰規制部（図示せず）は、右側ピニオンギヤ６５１Ｒの回転軸の左下方に回転移動し、右規制片部５４４Ｒの上側切欠き部５４５Ｒに入り込むようになっている（詳細な図示を省略）。なおこのとき、左ギヤカバー部材５２１Ｌの回転規制部５２６Ｌは、左側第２中間ギヤ６４１Ｌの溝部６４２Ｌにおけるストッパー部６４３Ｌの左方近傍に位置する。同様に、右ギヤカバー部材５２１Ｒの回転規制部（図示せず）は、右側第２中間ギヤ６４１Ｒの溝部におけるストッパー部の右方近傍に位置する（詳細な図示を省略）。
【０１１３】
可動部材５４１が第１演出位置に移動する状態で、左側可動部材用駆動モータ６１１Ｌにより左側モータギヤ６２１Ｌが（前方から見て）時計回りに回転すると、左側第１中間ギヤ６３１Ｌおよび左側第２中間ギヤ６４１Ｌを介して、左側ピニオンギヤ６５１Ｌが反時計回りに回転する。同様に、右側可動部材用駆動モータ６１１Ｒにより右側モータギヤ６２１Ｒが（前方から見て）反時計回りに回転すると、右側第１中間ギヤ６３１Ｒおよび右側第２中間ギヤ６４１を介して、右側ピニオンギヤ６５１Ｒが時計回りに回転する。左側ピニオンギヤ６５１Ｌが反時計回りに回転するとともに、右側ピニオンギヤ６５１Ｒが時計回りに回転すると、左ラックギヤ５４３Ｌおよび右ラックギヤ５４３Ｒが設けられた可動部材５４１が上方へ移動する。
【０１１４】
図１９に示すように、左側ピニオンギヤ６５１Ｌおよび右側ピニオンギヤ６５１Ｒがそれぞれ回転基準位置から１回転（３６０°だけ回転）すると、可動部材５４１が第１演出位置から第２演出位置まで上方に移動する。このとき、左側ピニオンギヤ６５１Ｌの復帰規制部６５２Ｌは、左規制片部５４４Ｌの左側方へ迂回するように左側ピニオンギヤ６５１Ｌとともに回転し、左側ピニオンギヤ６５１Ｌの回転軸の右下方まで１回転すると、左規制片部５４４Ｌの下側切欠き部５４６Ｌに入り込むようになっている。同様に、右側ピ
ニオンギヤ６５１Ｒの復帰規制部（図示せず）は、右規制片部５４４Ｒの右側方へ迂回するように右側ピニオンギヤ６５１Ｒとともに回転し、右側ピニオンギヤ６５１Ｒの回転軸の左下方まで１回転すると、右規制片部５４４Ｒの下側切欠き部５４６Ｒに入り込むようになっている（詳細な図示を省略）。なお、図１９、図２２、図２３において、左規制片部５４４Ｌの一部の記載を省略している。
【０１１５】
可動部材５４１が第２演出位置に移動する状態で、左側可動部材用駆動モータ６１１Ｌにより左側モータギヤ６２１Ｌが（前方から見て）反時計回りに回転すると、左側第１中間ギヤ６３１Ｌおよび左側第２中間ギヤ６４１Ｌを介して、左側ピニオンギヤ６５１Ｌが時計回りに回転する。同様に、右側可動部材用駆動モータ６１１Ｒにより右側モータギヤ６２１Ｒが（前方から見て）時計回りに回転すると、右側第１中間ギヤ６３１Ｒおよび右側第２中間ギヤ６４１を介して、右側ピニオンギヤ６５１Ｒが反時計回りに回転する。左側ピニオンギヤ６５１Ｌが時計回りに回転するとともに、右側ピニオンギヤ６５１Ｒが反時計回りに回転すると、左ラックギヤ５４３Ｌおよび右ラックギヤ５４３Ｒが設けられた可動部材５４１が下方へ移動する。
【０１１６】
左側ピニオンギヤ６５１Ｌおよび右側ピニオンギヤ６５１Ｒがそれぞれ回転基準位置から（上方の場合と逆方向に）１回転（３６０°だけ回転）すると、可動部材５４１が第２演出位置から第１演出位置まで下方に移動する。このとき、左側ピニオンギヤ６５１Ｌの復帰規制部６５２Ｌは、左規制片部５４４Ｌの左側方へ迂回するように左側ピニオンギヤ６５１Ｌとともに回転し、左規制片部５４４Ｌの上側切欠き部５４５Ｌに入り込む。同様に、右側ピニオンギヤ６５１Ｒの復帰規制部（図示せず）は、右規制片部５４４Ｒの右側方へ迂回するように右側ピニオンギヤ６５１Ｒとともに回転し、右規制片部５４４Ｒの上側切欠き部５４５Ｒに入り込む（詳細な図示を省略）。このように、左右の可動部材用駆動モータ６１１Ｌ，６１１Ｒを同期して作動させることにより、可動部材５４１を第１演出位置と第２演出位置との間で上下方向に往復移動させることができる。
【０１１７】
ところで、左右の可動部材用駆動モータ６１１Ｌ，６１１Ｒの誤作動等により、可動部材５４１が第２演出位置を越えて演出ベース部材５１１の上方外側に向けて移動すると、図２２に示すように、左側ピニオンギヤ６５１Ｌと左ラックギヤ５４３Ｌとの噛合が外れるとともに、右側ピニオンギヤ６５１Ｒと右ラックギヤ５４３Ｒとの噛合が外れるように構成される。このとき、図２０および図２１に示すように、左規制片部５４４Ｌの下側切欠き部５４６Ｌに入り込んだ左側ピニオンギヤ６５１Ｌの復帰規制部６５２Ｌは、左側ピニオンギヤ６５１Ｌの回転軸の右上方に位置する復帰規制位置まで回転移動する。同様に、右規制片部５４４Ｒの下側切欠き部５４６Ｒに入り込んだ右側ピニオンギヤ６５１Ｒの復帰規制部（図示せず）は、右側ピニオンギヤ６５１Ｒの回転軸の左上方に位置する復帰規制位置まで回転移動する（詳細な図示を省略）。
【０１１８】
なおこのとき、左ギヤカバー部材５２１Ｌの回転規制部５２６Ｌは、左側第２中間ギヤ６４１Ｌにおけるストッパー部６４３Ｌの右側に当接するか、ストッパー部６４３Ｌの右側近傍に位置する。これにより、左側第２中間ギヤ６４１Ｌの時計回りの回転、すなわち、左側ピニオンギヤ６５１Ｌの反時計回りの回転が規制される。同様に、右ギヤカバー部材５２１Ｒの回転規制部（図示せず）は、右側第２中間ギヤ６４１Ｒにおけるストッパー部の左側に当接するか、ストッパー部の左側近傍に位置する（詳細な図示を省略）。これにより、右側第２中間ギヤ６４１Ｒの反時計回りの回転、すなわち、右側ピニオンギヤ６５１Ｒの時計回りの回転が規制される。
【０１１９】
左側ピニオンギヤ６５１Ｌの復帰規制部６５２Ｌが復帰規制位置まで回転移動すると、復帰規制部６５２Ｌの外周面に形成された当接面部６５３Ｌが左規制片部５４４Ｌの復帰規制側当接部５４７Ｌと右斜め方向に対向する。第２演出位置を越えて移動した可動部材
５４１が下方へ移動しようとすると、左規制片部５４４Ｌの復帰規制側当接部５４７Ｌが復帰規制部６５２Ｌの当接面部６５３Ｌと当接する。このとき、復帰規制側当接部５４７Ｌの押圧力は、当接面部６５３Ｌに対して左側ピニオンギヤ６５１Ｌの径方向に作用して受け止められるため、左側ピニオンギヤ６５１Ｌを回転させる駆動力として作用することがない。そのため、復帰規制位置まで回転移動した左側ピニオンギヤ６５１Ｌの復帰規制部６５２Ｌにより、第２演出位置を越えて移動した可動部材５４１の下方への移動が規制される。同様に、復帰規制位置まで回転移動した右側ピニオンギヤ６５１Ｒの復帰規制部（図示せず）により、第２演出位置を越えて移動した可動部材５４１の下方への移動が規制される（詳細な図示を省略）。これにより、第２演出位置を越えて移動した可動部材５４１を無理に下方へ戻そうとして、左側ピニオンギヤ６５１Ｌおよび右側ピニオンギヤ６５１Ｒ等が破損するのを防止することができる。また、左側ピニオンギヤ６５１Ｌおよび右側ピニオンギヤ６５１Ｒが左右非対称な位置関係（通常と異なる位置関係）で左ラックギヤ５４３Ｌおよび右ラックギヤ５４３Ｒと再び噛合してしまい、左右の可動部材用駆動モータ６１１Ｌ，６１１Ｒの負荷が過大となって左右の可動部材用駆動モータ６１１Ｌ，６１１Ｒが故障するのを防止することができる。
【０１２０】
一方、第２演出位置を越えて移動した可動部材５４１が上方へ移動しようとすると、左規制片部５４４Ｌの脱落規制側当接部５４８Ｌが復帰規制部６５２Ｌに当接する。このとき、左ギヤカバー部材５２１Ｌの回転規制部５２６Ｌにより左側ピニオンギヤ６５１Ｌの反時計回りの回転（すなわち、左ラックギヤ５４３Ｌと再び噛合可能な方向と逆の方向への回転）が規制されるため、復帰規制位置まで回転移動した左側ピニオンギヤ６５１Ｌの復帰規制部６５２Ｌにより、第２演出位置を越えて移動した可動部材５４１の上方への移動が規制される。同様に、復帰規制位置まで回転移動した右側ピニオンギヤ６５１Ｒの復帰規制部（図示せず）により、第２演出位置を越えて移動した可動部材５４１の上方への移動が規制される（詳細な図示を省略）。これにより、第２演出位置を越えて移動した可動部材５４１が演出ベース部材５１１の上方外側に抜け出して、演出可動部５３０（可動部材５４１）が落下等により破損するのを防止することができる。
【０１２１】
第２演出位置を越えて移動した可動部材５４１を第２演出位置に戻すには、まず、左側ピニオンギヤ６５１Ｌを手動で時計回りに回転させ、図２３に示すように、左側ピニオンギヤ６５１Ｌの復帰規制部６５２Ｌを前述の復帰規制位置から左側ピニオンギヤ６５１Ｌの回転軸の右方に位置する復帰許容位置まで回転移動させる。同様に、右側ピニオンギヤ６５１Ｒを反時計回りに回転させ、右側ピニオンギヤ６５１Ｒの復帰規制部（図示せず）を前述の復帰規制位置から右側ピニオンギヤ６５１Ｒの回転軸の左方に位置する復帰許容位置まで回転移動させる。そして、第２演出位置を越えて移動した可動部材５４１を下方へ移動させることで、左側ピニオンギヤ６５１Ｌと左ラックギヤ５４３Ｌとを再び噛合させるとともに、右側ピニオンギヤ６５１Ｒと右ラックギヤ５４３Ｒとを再び噛合させることができる。
【０１２２】
この状態で、第２演出位置を越えて移動した可動部材５４１が下方へ移動しようとすると、左規制片部５４４Ｌの復帰規制側当接部５４７Ｌが復帰規制部６５２Ｌの側部（当接面部６５３Ｌと異なる部分）と当接する。このとき、復帰規制側当接部５４７Ｌの押圧力の少なくとも一部は、復帰規制部６５２Ｌの側部に対して左側ピニオンギヤ６５１Ｌの接線方向に作用するため、左側ピニオンギヤ６５１Ｌを時計回りに回転させる駆動力として作用する。そのため、復帰許容位置まで回転移動した左側ピニオンギヤ６５１Ｌの復帰規制部６５２Ｌにより、第２演出位置を越えて移動した可動部材５４１の下方への移動が許容される。同様に、復帰許容位置まで回転移動した右側ピニオンギヤ６５１Ｒの復帰規制部（図示せず）により、第２演出位置を越えて移動した可動部材５４１の下方への移動が許容される。
【０１２３】
このようにして、左規制片部５４４Ｌの復帰規制側当接部５４７Ｌにより左側ピニオンギヤ６５１Ｌが時計回りに回転して左ラックギヤ５４３Ｌと再び噛合するとともに、右規制片部５４４Ｒの復帰規制側当接部５４７Ｒにより右側ピニオンギヤ６５１Ｒが反時計回りに回転して右ラックギヤ５４３Ｒと再び噛合し、第２演出位置を越えて移動した可動部材５４１が下方へ移動して第２演出位置まで戻る。これにより、正規の回転位置で、左側ピニオンギヤ６５１Ｌと左ラックギヤ５４３Ｌとを再び噛合させるとともに、右側ピニオンギヤ６５１Ｒと右ラックギヤ５４３Ｒとを再び噛合させた状態で、第２演出位置を越えて移動した可動部材５４１を第２演出位置に戻すことができる。
【０１２４】
このように、本実施形態によれば、左右のピニオンギヤ６５１Ｌ，６５１Ｒに設けられた復帰規制部６５２Ｌにより、第２演出位置を越えて移動した可動部材５４１の上下方向の移動が規制される。これにより、第２演出位置を越えて移動した可動部材５４１を無理に下方へ戻そうとして、左右のピニオンギヤ６５１Ｌ，６５１Ｒ等が破損し、もしくは、左右のピニオンギヤ６５１Ｌ，６５１Ｒが左右非対称な位置関係（通常と異なる位置関係）で左右のラックギヤ５４３Ｌ，５４３Ｒと再び噛合して左右の可動部材用駆動モータ６１１Ｌ，６１１Ｒが過大な負荷により故障するのを防止することができる。また、第２演出位置を越えて移動した可動部材５４１が演出ベース部材５１１の上方外側に抜け出して、演出可動部５３０（可動部材５４１）が落下等により破損するのを防止することができる。そのため、下部可動演出装置５００の故障を防止することが可能になる。
【０１２５】
［下部可動演出装置の変形例］
なお、遊技盤１００におけるベース部材１１１の下部後側に取り付けられる下部可動演出装置５００の構成は、これに限られるものではない、そこで、図２４〜図３０を追加参照して、下部可動演出装置の変形例について説明する。図２４（ａ）に示す変形例の下部可動演出装置８００は、演出ベース部（図示せず）と、演出表示部８１０と、演出駆動部（図示せず）とを有して構成される。演出表示部８１０は、図２５に示すように、可動部材８１１と、ランプ基板８２１と、導光部材８３１と、ランプハウス８４１と、保護シート８５１と、ランプカバー８６１とを有して構成される。
【０１２６】
可動部材８１１は、図２５および図２６に示すように、樹脂材料を用いて板状に形成される。なお、可動部材８１１は、演出ベース部（図示せず）の前面に重なる第１演出位置と、第１演出位置より上方の第２演出位置との間で、演出ベース部に対し上下方向に往復移動可能に支持される。また、演出駆動部（図示せず）は、演出表示部８１０の可動部材８１１を駆動して演出表示部８１０を上下方向に往復移動させる。演出ベース部および演出駆動部は、前述した演出ベース部５１０および演出駆動部６００と同様に構成されてもよく、これにより、前述した下部可動演出装置５００の場合と同様の効果を得ることができる。
【０１２７】
可動部材８１１の上部前面側に、角形トレイ状のランプ基板受容部８１２が形成される。ランプ基板受容部８１２は、ランプ基板８２１の後面側を受容するようになっている。ランプ基板受容部８１２の四隅に、ダボ穴状のランプカバー取付部８１３が形成される。ランプカバー取付部８１３には、ネジ等の固定手段（図示せず）を用いて、ランプハウス８４１とともにランプカバー８６１の四隅が固定される。可動部材８１１の下部に、湾曲しつつ前後方向に貫通したケーブル挿通孔８１４が形成される。ケーブル挿通孔８１４には、ランプ基板８２１から延びるフラットケーブル８２３が可動部材８１１の前面側から後面側へ挿通される。可動部材８１１の後面側に、上下方向に延びるラックギヤ８１５が形成される。ラックギヤ８１５は、演出駆動部（図示せず）に設けられたピニオンギヤ（図示せず）と噛合する。
【０１２８】
ランプ基板８２１は、図２５および図２７に示すように、可動部材８１１におけるラン
プ基板受容部８１２の前面側に重ねて取り付けられる。ランプ基板８２１の前面側に、複数のランプ８２２，８２２，…が配設される。複数のランプ８２２，８２２，…は、導光部材８３１に形成された第１柱状部８３４，８３４，…および第２柱状部８３６，８３６と対向するように配置され、第１柱状部８３４，８３４，…および第２柱状部８３６，８３６に向けて光を発光させることができるようになっている。ランプ８２２は、ＬＥＤ（Light  Emitting  Diode）ランプ等を用いて構成される。ランプ基板８２１の後面側に、コネクタ（図示せず）を介して可撓性を有する（フレキシブル）フラットケーブル８２３が電気的に接続される。
【０１２９】
導光部材８３１は、図２５および図２７〜図３０に示すように、透光性を有する（例えば、透明の）樹脂材料を用いて板状に形成され、複数のランプ８２２，８２２，…と対向するようにランプ基板８２１の前面側に重ねて取り付けられる。導光部材８３１は、ランプ基板８２１に沿って延びる板状部８３２と、板状部８３２に対し前方に突出して形成された複数の第１柱状部８３４，８３４，…および第２柱状部８３６，８３６とを有している。板状部８３２の外縁部後面側に、突起状の支持部８３３が形成される。支持部８３３は、ランプ基板８２１の前面側に当接して、ランプ基板８２１に対し所定間隔（複数のランプ８２２，８２２，…を配置可能な間隔）をおいて略平行に離れるように板状部８３２を支持する。
【０１３０】
複数の第１柱状部８３４，８３４，…は、導光部材８３１の前方から見て、４桁の「８」の字を形成する（すなわち、「８」の字の各セグメントを構成する）ように配置される。第１柱状部８３４は、ランプハウス８４１の前方外側に向けて延びる柱状に形成される。第１柱状部８３４は、ランプハウス８４１に形成された第１挿通孔８４４に挿通されてランプハウス８４１の前方外側に突出するようになっている。ランプハウス８４１の前方外側に突出する第１柱状部８３４の外端面８３４ａには、拡散シート（図示せず）が付着している。なお、ランプハウス８４１の前方外側に突出する第１柱状部８３４の側面８３４ｂには、拡散シート（図示せず）が付着していない。
【０１３１】
２つの第２柱状部８３６，８３６は、導光部材８３１の前方から見て、４桁の「８」の字のアンダーラインを形成する（すなわち、アンダーラインの各セグメントを構成する）ように配置される。第２柱状部８３６は、ランプハウス８４１の前方外側に向けて延びる柱状に形成される。第２柱状部８３６は、ランプハウス８４１に形成された第２挿通孔８４６に挿通されてランプハウス８４１の前方外側に突出するようになっている。ランプハウス８４１の前方外側に突出する第２柱状部８３６の外端面８３６ａには、拡散シート（図示せず）が付着している。なお、ランプハウス８４１の前方外側に突出する第２柱状部８３６の側面８３６ｂには、拡散シート（図示せず）が付着していない。
【０１３２】
ランプハウス８４１は、図２５および図２７に示すように、遮光性を有する樹脂材料を用いて板状に形成される。ランプハウス８４１は、導光部材８３１の前面側に重ねて取り付けられ、導光部材８３１の板状部８３２およびランプ基板８２１を遮光して覆うようになっている。ランプハウス８４１の四隅に、穴状のランプハウス固定部８４２が形成される。ランプハウス固定部８４２は、可動部材８１１のランプカバー取付部８１３に固定される。ランプハウス８４１の外縁部後面側に、導光部材８３１の板状部８３２の外周形状に合わせた枠状の周囲カバー部８４８が形成される。周囲カバー部８４８は、導光部材８３１の板状部８３２の外周部を覆ってランプ基板８２１の前面側に当接する。
【０１３３】
ランプハウス８４１に、前後に貫通した複数の第１挿通孔８４４，８４４，…および第２挿通孔８４６，８４６が形成される。複数の第１挿通孔８４４，８４４，…は、ランプハウス８４１の前方から見て、４桁の「８」の字を形成する（すなわち、「８」の字の各セグメントを構成する）ように配置され、導光部材８３１の複数の第１柱状部８３４，８
３４，…がそれぞれ挿通される。２つの第２挿通孔８４６，８４６は、ランプハウス８４１の前方から見て、４桁の「８」の字のアンダーラインを形成する（すなわち、アンダーラインの各セグメントを構成する）ように配置され、導光部材８３１の２つの第２柱状部８３６，８３６がそれぞれ挿通される。ランプハウス８４１の厚さは、第１挿通孔８４４および第２柱状部８３６の高さよりも小さくなるように設定され、図２４（ｂ）に示すように、第１柱状部８３４が第１挿通孔８４４に挿通されてランプハウス８４１の前方外側に突出するとともに、第２柱状部８３６が第２挿通孔８４６に挿通されてランプハウス８４１の前方外側に突出する。
【０１３４】
保護シート８５１は、図２５に示すように、透明の樹脂材料を用いて薄板状に形成される。保護シート８５１は、ランプカバー８６１の内側に取り付けられてランプハウス８４１を前方から覆うようになっている。
【０１３５】
ランプカバー８６１は、図２５〜図２７に示すように、樹脂材料を用いて中央に窓穴を有する窓枠状に形成され、可動部材８１１のランプ基板受容部８１２、ランプ基板８２１、ランプハウス８４１、および保護シート８５１の外周部を覆うようになっている。ランプカバー８６１は、ネジ等の固定手段（図示せず）を用いて、ランプ基板８２１およびランプハウス８４１の四隅を固定するように、可動部材８１１のランプカバー取付部８１３に取り付け固定される。ランプカバー８６１の窓穴を塞ぐように保護シート８５１が取り付けられ、ランプカバー８６１の前方から保護シート８５１を通じて、ランプハウス８４１の前方外側に突出する第１柱状部８３４および第２柱状部８３６を視認可能に構成される。
【０１３６】
以上のように構成される下部可動演出装置８００において、演出表示部８１０の可動部材８１１は、前述の第１演出位置と第２演出位置との間で、演出ベース部（図示せず）に対し上下方向に往復移動可能に支持される。演出表示部８１０は、演出駆動部（図示せず）により可動部材８１１が第１演出位置に移動すると、遊技盤１００におけるベース部材１１１の下部後側に隠れるように配置される。一方、演出表示部８１０は、演出駆動部により可動部材８１１が第２演出位置に移動すると、遊技盤１００の中央部後側に（視認部１５１を通じて）前方から視認可能に配置され、任意の数字等（例えば、リーチ変動演出に関する時間表示、いわゆる時短遊技状態や確変遊技状態における残りの図柄変動回数等）を発光表示する発光演出を行う。
【０１３７】
本実施形態では、導光部材８３１に形成された複数の第１柱状部８３４，８３４，…が４桁の「８」の字を形成するように配置され、２つの第２柱状部８３６，８３６が４桁の「８」の字のアンダーラインを形成するように配置される。そのため、複数のランプ８２２，８２２，…の切換作動により、複数の第１柱状部８３４，８３４，…のうち少なくともいずれかの外端面８３４ａおよび側面８３４ｂ（並びに、２つの第２柱状部８３６，８３６のうち少なくともいずれかの外端面８３６ａおよび側面８３６ｂ）から発光させることで、４桁までの数字を任意に切り換えて発光表示できるようになっている。
【０１３８】
例えば、複数の第１柱状部８３４，８３４，…のうち或る一つの第１柱状部８３４と対向して配置されたランプ８２２が発光すると、当該ランプ８２２で発光した光は前方に進み、導光部材８３１の板状部８３２に入射する。板状部８３２に入射した光は、前方に進んで板状部８３２および、当該ランプ８２２と対向する（前述した或る一つの）第１柱状部８３４を透過し、当該第１柱状部８３４の外端面８３４ａおよび側面８３４ｂから発光する。
【０１３９】
このとき、第１柱状部８３４の外端面８３４ａに拡散シート（図示せず）が付着しているため、第１柱状部８３４の外端面８３４ａから発光する光は、略均一な拡散光となる。
また、第１柱状部８３４の側面８３４ｂに拡散シート（図示せず）が付着していないため、第１柱状部８３４の側面８３４ｂから発光する光は、ランプ８２２の形状等に応じた鋭い光となる。そのため、演出表示部８１０で発光表示される数字を前方から視認した場合に、当該発光表示される数字を形成する第１柱状部８３４の縁部（側面８３４ｂ）が明るく縁取られたように見える。
【０１４０】
また例えば、第２柱状部８３６と対向して配置されたランプ８２２が発光すると、当該ランプ８２２で発光した光は前方に進み、導光部材８３１の板状部８３２に入射する。板状部８３２に入射した光は、前方に進んで板状部８３２および、当該ランプ８２２と対向する第２柱状部８３６を透過し、当該第２柱状部８３６の外端面８３６ａおよび側面８３６ｂから発光する。
【０１４１】
このとき、第２柱状部８３６の外端面８３６ａに拡散シート（図示せず）が付着しているため、第２柱状部８３６の外端面８３６ａから発光する光は、略均一な拡散光となる。また、第２柱状部８３６の側面８３６ｂに拡散シート（図示せず）が付着していないため、第２柱状部８３６の側面８３６ｂから発光する光は、ランプ８２２の形状等に応じた鋭い光となる。そのため、演出表示部８１０で発光表示される数字のアンダーラインを前方から視認した場合に、当該アンダーラインを形成する第２柱状部８３６の縁部（側面８３６ｂ）が明るく縁取られたように見える。
【０１４２】
このように、下部可動演出装置の変形例によれば、第１柱状部８３４の外端面８３４ａと側面８３４ｂとで趣の異なる光が発光し、第２柱状部８３６の外端面８３６ａと側面８３６ｂとで趣の異なる光が発光することで、装飾性の高い発光演出を行うことが可能になる。
【０１４３】
［不正チェック補助手段］
前述した上下の可動演出装置が設けられるぱちんこ遊技機ＰＭにおいて、遊技盤１００の遊技領域ＰＡに打ち出された遊技球は、遊技領域ＰＡに設けられた遊技釘（図示せず）や各種遊技部品と接触を繰り返し、各入賞装置（一般入賞装置１２１、第１および第２始動入賞装置１２２，１２３、第１および第２大入賞装置１２４，１２５）に入賞することで、遊技球が獲得される構成となっている。遊技施設において遊技釘に対し不適正な調整が行われると、一定の発射球数に対して本来設定された各入賞装置への入賞球数が得られなくなることがある。
【０１４４】
そこで、ぱちんこ遊技機ＰＭに対して、遊技釘に対し不適正な調整が行われたことを把握できるよう、不正チェック補助手段が用いられるようにしてもよい。以下、図３１〜図３２を追加参照して、ぱちんこ遊技機ＰＭの変形例として不正チェック補助手段について説明する。不正チェック補助手段は、ぱちんこ遊技機ＰＭが遊技施設の遊技島（設置枠台）に設置された状態で、目視用治具を用いてぱちんこ遊技機ＰＭの遊技釘が適正な状態か否かを確認する不正チェック作業を補助するためのものである。具体的には、ぱちんこ遊技機ＰＭのガラス枠９０５（図３１を参照）等を開放することなく（直接遊技釘に触れる機会を設けることなく）、ぱちんこ遊技機ＰＭの基準位置と目視用治具の基準位置とを整合させる目印となる部位（以降、目印部と称する）をぱちんこ遊技機ＰＭに設ける。そして、目視用治具を目印部に基づいて配置することで、遊技釘が適正な状態か否かを、ガラス枠９０５の複層ガラス９０５ａ（透明板）を通じて目視によりチェックする作業を補助するようになっている。
【０１４５】
本変形例において、不正チェック補助手段は、図３１に示すように、ガラス枠９０５に設けられた目印部を構成する凹部９０６と、目視用治具９１０とを有して構成される。凹部９０６は、ガラス枠９０５の複層ガラス９０５ａの前面側において、複層ガラス９０５
ａの右斜め上と左斜め下の対角線上に２つ形成される。凹部９０６は、複層ガラス９０５ａの前面側に円形穴状に形成され、目視用治具９１０に形成された突起部９１６と係合可能に構成される。なお、本変形例のガラス枠９０５は、複層ガラス９０５ａの凹部９０６の他は、前述のガラス枠５と同様に形成される。
【０１４６】
目視用治具９１０は、透明の樹脂材料を用いて、ガラス枠９０５の複層ガラス９０５ａに合わせた板状に形成される。目視用治具９１０の後面側に、複層ガラス９０５ａの凹部９０６と係合可能な突起部９１６が後方に突出して形成される。突起部９１６は、目視用治具９１０の後面側において、目視用治具９１０の右斜め上と左斜め下の対角線上に２つ形成される。また、目視用治具９１０の左右端部に、目視用治具９１０を把持しやすくするための把持部９１７が形成される。図３１および図３２に示すように、目視用治具９１０の前面もしくは後面には、インクジェット印刷や、レーザーマーキング、塗装等により、機種確認マーク９１１および釘確認マーク９１２が形成される。
【０１４７】
機種確認マーク９１１は、例えば、目視用治具９１０の右斜め上と左斜め下の対角線上に２つ形成される。機種確認マーク９１１は、チェック対象の遊技盤１００に形成された機種確認マーク（図示せず）に対応した形状（例えば、遊技盤１００の機種確認マークと同じ形状）に形成される。目視用治具９１０の機種確認マーク９１１は、遊技盤１００の種類ごとに異なる形状に形成される。これにより、目視用治具９１０およびガラス枠９０５の複層ガラス９０５ａを通じて、目視用治具９１０の機種確認マーク９１１と、遊技盤１００の機種確認マークとを見比べることで、チェック対象の遊技盤１００に対応した目視用治具９１０が用いられているか確認することができる。
【０１４８】
釘確認マーク９１２は、例えば、一般入賞装置１２１の上方近傍の遊技釘、第１始動入賞装置１２２の上方近傍の遊技釘、第２始動入賞装置１２３の上方近傍の遊技釘、第２大入賞装置１２５の上方近傍の遊技釘等、遊技盤１００において目視確認を行う遊技釘の設計的な配置に合わせて、前方から見た遊技釘と同様の形状に形成される。また一般的に、遊技釘は遊技盤１００に対して所定の角度（約５度）だけ傾斜して配設されるため、遊技盤１００の前面から目視用治具９１０までの距離と当該角度とを考慮して、目視用治具９１０に釘確認マーク９１２を配置することが好ましい。このような構成にすれば、目視用治具９１０により遊技釘が適正な状態か否かを目視でチェックする際、奥行き方向の錯視による誤認を抑止することが期待できる。
【０１４９】
本変形例において、複層ガラス９０５ａの凹部９０６に合わせて目視用治具９１０の突起部９１６を係合させて、目視用治具９１０を複層ガラス９０５ａの前面側にセットすることで、目視用治具９１０に形成された釘確認マーク９１２と遊技釘とが位置整合するかを正確に目視することができる。これにより、目視用治具９１０および複層ガラス９０５ａを通じて、遊技釘が適正な状態か否かを目視で正確にチェックすることができる。
【０１５０】
なお、ガラス枠９０５の複層ガラス９０５ａに突起部が形成されるとともに、目視用治具９１０に凹部が形成されるようにしてもよく、ガラス枠９０５に複数の目印部を設ける場合に、当該目印部として複層ガラス９０５ａの前面側に凹部９０６と突起部とを組合せて形成することも可能である。なおこの場合、前面側の意匠（デザイン）や前方突出量、ガラス面との関係を考慮して選択することが望ましい。また、複層ガラス９０５ａの前面側に突起部を形成する場合、ぱちんこ遊技機ＰＭの他の部分より前方に突出しないような配置や高さにすることが望ましい。
【０１５１】
また、前述したように、遊技盤１００は前枠２（収容枠２ａ）に対し着脱可能にセット保持されており、遊技盤１００を前枠２に取り付ける際、若干の取付誤差が生じる可能性がある。そのため、遊技盤１００の基準位置（取付基準）と目印部（凹部９０６）との間
で誤差が生じにくくなるように構成されていることが望ましい。例えば、ガラス枠９０５の取付基準（前枠２との整合基準部やガラス枠９０５の収容時の当接面等）が、遊技盤１００の取付基準となる孔部や突起部と一体に形成されて、ガラス枠９０５に目印部が設けられる構成であってもよい。また例えば、遊技盤１００の取付基準が形成された枠部材と一体に目印部が設けられる構成であってもよい。また例えば、遊技盤１００（もしくは、遊技盤１００に配置された入賞装置やレール取付部材などの遊技部品）に目印部が設けられる構成であってもよい。このようにすれば、遊技釘が適正な状態か否かをより正確に判断することができる。
【０１５２】
以上、不正チェック補助手段の目印部として物理的な構成（凹部と突起部）を採用したものを例示したが、これに限定されるものではない。例えば、遊技盤１００または目視用治具９１０に設けられた発光部もしくは反射面部と透光部により、光を用いて目印部が形成される構成であってもよく、目印部が発光装置等の電気的手段を用いて構成されてもよい。また例えば、いわゆる導光部材のように、ガラス枠９０５の複層ガラス９０５ａ、遊技盤１００のベース部材１１１、もしくは目視用治具９１０等の側端部に光を入射させて、目印部を構成する反射面において前方に（不正チェック作業者の方に）向けて反射させることにより、光を用いて目印部が形成される構成であってもよい。また例えば、ガラス枠９０５の複層ガラス９０５ａ、遊技盤１００のベース部材１１１、もしくは目視用治具９１０等に、特殊な波長の光（ブラックライト等）に反応して（励起されて）発光する蛍光（蓄光）塗料が塗布されるようにしもよい。
【０１５３】
また、目視用治具９１０に電気的な装置を組み合わせることで、目視による不正チェック作業に加え、遊技盤１００の各部品の電気的なチェック作業を行うことが可能であり、このような構成にしても、不正チェック補助手段として適用することができる。例えば、目視用治具９１０の任意の箇所に磁気発生手段（コイル）を設け、遊技盤１００に設けられた磁気センサ（図示せず）の反応を確認する場合などが考えられる。また、目視用治具９１０が液体を内包して形成され、複層ガラス９０５ａの前面側にセットされる際に水平であるか否かを確認できるようにしてもよい。
【０１５４】
［本実施形態における特徴構成］
［上部可動演出装置の特徴構成］
本実施形態において、上部可動演出装置２００の第２装飾部材２１５は、第１装飾部材２１０の下側に配設され、第１可動位置に位置した第１装飾部材２１０から下方に離れた離間位置から、第１可動位置に位置した第１装飾部材２１０と当接する当接位置まで移動可能であり、さらに、第１装飾部材２１０と当接したまま第１装飾部材２１０と一緒に当接位置を越えて上方に移動可能に構成される。これにより、第２装飾部材２１５が当接位置を越えた位置（当接保持位置）において第１装飾部材２１０と確実に当接するため、上部可動演出装置２００の装飾性をより高めることが可能になる。
【０１５５】
本実施形態では、第２装飾部材２１５が第１装飾部材２１０と当接すると、第１装飾形成部２１１（第１の装飾）と第２装飾形成部２１６（第２の装飾）とが結合して一体の看板型装飾２０１が形成される。そのため、第２装飾部材２１５が当接位置を越えた位置（当接保持位置）において第１装飾部材２１０と確実に当接することで、第１装飾部材２１０の第１装飾形成部２１１と第２装飾部材２１５の第２装飾形成部２１６とが隙間なく結合して、装飾性の高い一体の看板型装飾２０１が形成され、上部可動演出装置２００の装飾性をより高めることが可能になる。
【０１５６】
また、当接保持位置で第２装飾部材２１５を固定保持するロック機構部２７０と、ロック機構部２７０による固定保持を解除して第２装飾部材２１５を移動可能にするロック解除部２８０とが設けられる。これにより、ロック機構部２７０が、第２装飾部材２１５を
当接保持位置で固定保持することで、第２装飾部材２１５が不必要に下方（離間位置の方）へ動くのを防止することができ、第２装飾部材２１５が第１装飾部材２１０と当接する状態を確実に維持することができる。特に、第２装飾部材２１５の重量が大きい場合に、重力の作用により第２装飾部材２１５が当接保持位置から下方に動くのを効果的に防止することができる。
【０１５７】
また、第１装飾部材２１０は、装飾ベース部２２０の第１装飾ベース部材２２１に対し長穴部２２２に沿って上下方向に移動自在に支持される。これにより、簡便な構成で、第１装飾部材２１０を上下方向に移動自在に支持することができる。なお、本実施形態において、第２装飾部材２１５は、ロック機構部２７０により当接保持位置で下方へ動かないように固定保持されるが、当接保持位置よりも上方に少しだけ移動できるようになっている。そのため、ロック機構部２７０が作動する状態で、装飾部材駆動部２６０により第２装飾部材２１５を当接保持位置よりも少しだけ上方に動かして、第１装飾部材２１０を長穴部２２２の範囲で上下方向に移動させることができる。このようにすれば、ロック解除部２８０を作動させてロック機構部２７０による固定保持を解除しなくても、第２装飾部材２１５が動いて下方へ移動するかもしれないという期待感を、遊技者に抱かせる演出を行うことが可能になる。
【０１５８】
［下部可動演出装置の特徴構成］
本実施形態において、下部可動演出装置５００の左右のピニオンギヤ６５１Ｌ，６５１Ｒの側部に、第２演出位置を越えて移動した可動部材５４１が移動するのを規制するが、左右のピニオンギヤ６５１Ｌ，６５１Ｒを左右のラックギヤ５４３Ｌ，５４３Ｒと再び噛合可能な方向へ回転させた場合にのみ、可動部材５４１が第２演出位置から第１演出位置に向けて戻るのを許容する復帰規制部６５２Ｌが設けられている。これにより、前述したように、第２演出位置を越えて移動した可動部材５４１を無理に下方へ戻そうとして、左右のピニオンギヤ６５１Ｌ，６５１Ｒ等が破損し、もしくは、左右のピニオンギヤ６５１Ｌ，６５１Ｒが左右非対称な位置関係（通常と異なる位置関係）で左右のラックギヤ５４３Ｌ，５４３Ｒと再び噛合して左右の可動部材用駆動モータ６１１Ｌ，６１１Ｒが過大な負荷により故障するのを防止することができる。また、第２演出位置を越えて移動した可動部材５４１が演出ベース部材５１１の上方外側に抜け出して、演出可動部５３０（可動部材５４１）が落下等により破損するのを防止することができる。そのため、下部可動演出装置５００の故障を防止することが可能になる。また、復帰規制部６５２Ｌにより可動部材５４１の移動が規制される状態になった場合でも、予め定められた手順を経て、可動部材５４１を第２演出位置から第１演出位置に向けて戻すことで、下部可動演出装置５００の修復率を向上させて故障率を抑えることが可能になる。
【０１５９】
また、左右のピニオンギヤ６５１Ｌ，６５１Ｒに設けられた復帰規制部６５２Ｌは、可動部材５４１が第２演出位置を越えて外側に移動すると、可動部材５４１の左右の規制片部５４４Ｌ，５４４Ｒを受け止めることが可能な復帰規制位置へ回転移動し、第２演出位置を越えて外側に移動した可動部材５４１が移動するのを規制するが、左右のピニオンギヤ６５１Ｌ，６５１Ｒを左右のラックギヤ５４３Ｌ，５４３Ｒと再び噛合する方向へ回転させると、復帰規制位置から左右の規制片部５４４Ｌ，５４４Ｒの移動を許容する方向へ回転し、可動部材５４１が第２演出位置に戻るのを許容するように構成される。これにより、簡便な構成で、第２演出位置を越えて外側に移動した可動部材５４１が移動するのを規制することができる。
【０１６０】
また、左右のピニオンギヤ６５１Ｌ，６５１Ｒと左右のラックギヤ５４３Ｌ，５４３Ｒとの噛合が外れるまで左右のピニオンギヤ６５１Ｌ，６５１Ｒが回転すると、左右のラックギヤ５４３Ｌ，５４３Ｒと再び噛合する方向と逆の方向へ左右のピニオンギヤ６５１Ｌ，６５１Ｒが回転するのを規制する回転規制部５２６Ｌが設けられる。これにより、第２
演出位置を越えて移動した可動部材５４１が上方へ移動しようとして復帰規制部６５２Ｌに当接しても、回転規制部５２６Ｌが、左右のラックギヤ５４３Ｌ，５４３Ｒと再び噛合する方向と逆の方向へ左右のピニオンギヤ６５１Ｌ，６５１Ｒが回転するのを規制するため、第２演出位置を越えて移動した可動部材５４１の上方への移動が規制される。これにより、第２演出位置を越えて移動した可動部材５４１が演出ベース部材５１１の上方外側に抜け出して、演出可動部５３０（可動部材５４１）が落下等により破損するのを防止することができる。
【０１６１】
また、回転規制部５２６Ｌは、突起状に形成されて、左右の第２中間ギヤ６４１Ｌ，６４１Ｒが回転可能な状態で左右の第２中間ギヤ６４１Ｌ，６４１Ｒの溝部６４２Ｌに受容される。そして、左右のピニオンギヤ６５１Ｌ，６５１Ｒと左右のラックギヤ５４３Ｌ，５４３Ｒとの噛合が外れるまで左右のピニオンギヤ６５１Ｌ，６５１Ｒおよび左右の第２中間ギヤ６４１Ｌ，６４１Ｒが回転すると、回転規制部５２６Ｌは、左右の第２中間ギヤ６４１Ｌ，６４１Ｒのストッパー部６４３Ｌに当接して、左右のラックギヤ５４３Ｌ，５４３Ｒと再び噛合する方向と逆の方向へ左右のピニオンギヤ６５１Ｌ，６５１Ｒが回転するのを規制するように構成される。これにより、回転規制部５２６Ｌの構成を簡便にすることができる。
【０１６２】
［下部可動演出装置の変形例の特徴構成］
下部可動演出装置の変形例において、下部可動演出装置８００の導光部材８３１は、ランプハウス８４１の外側に向けて延びる柱状に形成された第１柱状部８３４および第２柱状部８３６を有し、ランプハウス８４１は、導光部材８３１の第１柱状部８３４および第２柱状部８３６を挿通させてランプハウス８４１の外側に突出させる第１挿通孔８４４および第２挿通孔８４６を有している。そして、ランプ８２２からの光が導光部材８３１を透過して、ランプハウス８４１の外側に突出する第１柱状部８３４の外端面８３４ａおよび側面８３４ｂから発光し、もしくは、ランプハウス８４１の外側に突出する第２柱状部８３６の外端面８３６ａおよび側面８３６ｂから発光するようになっている。これにより、前述したように、第１柱状部８３４の外端面８３４ａと側面８３４ｂとで趣の異なる光が発光し、第２柱状部８３６の外端面８３６ａと側面８３６ｂとで趣の異なる光が発光することで、表示内容の輪郭を強調する等の装飾性の高い発光演出を行うことが可能になる。
【０１６３】
また、導光部材８３１は、ランプ基板８２１に沿って延びる板状に形成されてランプハウス８４１に覆われる板状部８３２と、板状部８３２に対し突出して形成された複数の第１柱状部８３４，８３４，…および第２柱状部８３６，８３６とを有している。これにより、複数の第１柱状部８３４，８３４，…および第２柱状部８３６，８３６を容易に設けることができる。
【０１６４】
また、ランプ８２２からの光が導光部材８３１を透過して、複数の第１柱状部８３４，８３４，…のうち少なくともいずれかの外端面８３４ａおよび側面８３４ｂ（並びに、２つの第２柱状部８３６，８３６のうち少なくともいずれかの外端面８３６ａおよび側面８３６ｂ）から発光することで、所定の発光演出（任意の数字等を発光表示する発光演出）を行うように構成される。これにより、複数のランプ８２２，８２２，…の切換作動により、多彩な発光演出を行うことが可能になる。
【０１６５】
上述の実施形態において、第１装飾部材２１０が装飾ベース部２２０に対し上下方向に移動自在に支持されるとともに、第２装飾部材２１５が装飾ベース部２２０に対し上下方向に移動自在に支持されているが、これに限定されるものではない。例えば、第１装飾部材が装飾ベース部に対し左右方向に移動自在に支持されるとともに、第２装飾部材が装飾ベース部に対し左右方向に移動自在に支持されるようにしてもよい。この場合、第２装飾
部材は、第１装飾部材の左方もしくは右方に配設されるが、前述の第２可動位置から第１可動位置に向かう方向において第１装飾部材を越える側に配設されていればよい。またこの場合、第２装飾部材は、前述の離間位置から当接位置まで左右方向に移動可能であり、第１装飾部材と当接したまま第１装飾部材と一緒に当接位置を越えて第２可動位置の方向に移動可能に構成される。またこの場合、第１装飾部材は、付勢バネ（図示せず）による付勢力を受けて常時は第１可動位置に位置するように構成されてもよい。
【０１６６】
上述の実施形態において、第１装飾ベース部材２２１に長穴部２２２が設けられるとともに、第１装飾部材２１０に係合部材２１４が設けられているが、これに限定されるものではなく、第１装飾部材２１０に長穴部が設けられるとともに、第１装飾ベース部材２２１に係合部材が設けられてもよい。
【０１６７】
上述の実施形態において、ロック解除部２８０がロック機構部２７０による第２装飾部材２１５の固定保持を解除した後、装飾部材駆動部２６０が当接保持位置に位置する第２装飾部材２１５を下方に移動させるように構成されているが、これに限定されるものではない。例えば、装飾部材駆動部２６０が第２装飾部材２１５を当接保持位置より上方に駆動する状態（例えば、当接保持位置よりも少しだけ上方に動かした状態）で、ロック解除部２８０がロック機構部２７０による固定保持を解除するようにしてもよい。このようにすれば、ロック解除部２８０における左右のソレノイド２８１Ｒの作動タイミングがずれた場合に、重力により第２装飾部材２１５の左右端部のうち一方が他方に対して先に動いて下傾した状態で、装飾部材駆動部２６０により第２装飾部材２１５が下方に移動するのを防止することができる。
【０１６８】
次に、装飾部材駆動部２６０が、装飾ベース部２２０の左スライド部材２４１Ｌおよび右スライド部材２４１Ｒを駆動し、左スライド部材２４１Ｌおよび右スライド部材２４１Ｒと結合された第２装飾部材２１５を下方に移動させる。
【０１６９】
上述の実施形態において、演出可動部５３０の可動部材５４１は、前述の第１演出位置と第２演出位置との間で、演出ベース部５１０の演出ベース部材５１１に対し上下方向に往復移動可能に支持されているが、これに限定されるものではない。例えば、演出可動部の可動部材は、第１演出位置と第２演出位置との間で、演出ベース部の演出ベース部材に対し左右方向に往復移動可能に支持されてもよい。
【０１７０】
上述の実施形態において、回転規制部５２６Ｌは、左右のギヤカバー部材５２１Ｌ，５２１Ｒに設けられて、左右の第２中間ギヤ６４１Ｌ，６４１Ｒの側部に形成された溝部６４２Ｌに受容されるように構成されているが、これに限定されるものではない。例えば、回転規制部は、左右の第１中間ギヤ６３１Ｌ，６３１Ｒの側部に形成された溝部（図示せず）に受容されてもよい。また例えば、回転規制部は、演出ベース部材５１１の左右のギヤ取付部５１５Ｌ，５１５Ｒに設けられて、左右の第２中間ギヤ６４１Ｌ，６４１Ｒもしくは左右の第１中間ギヤ６３１Ｌ，６３１Ｒの（上述と反対側の）側部に形成された溝部（図示せず）に受容されてもよい。
【０１７１】
上述の実施形態において、可動部材５４１が第２演出位置を越えて演出ベース部材５１１の上方外側に向けて移動すると、左右のピニオンギヤ６５１Ｌ，６５１Ｒと左右のラックギヤ５４３Ｌ，５４３Ｒとの噛合が外れるように構成されているが、これに限定されるものではない。例えば、可動部材５４１が第２演出位置を越えた場合に、左右のピニオンギヤ６５１Ｌ，６５１Ｒと左右のラックギヤ５４３Ｌ，５４３Ｒとの噛合が外れる前に、左右のピニオンギヤ６５１Ｌ，６５１Ｒの復帰規制部６５２Ｌが復帰規制位置まで回転移動するとともに、左右のギヤカバー部材５２１Ｌ，５２１Ｒの回転規制部５２６Ｌが左右の第２中間ギヤ６４１Ｌ，６４１Ｒのストッパー部６４３Ｌに当接（もしくは、近傍に位
置する）するように構成されてもよい。このようにすれば、左右のピニオンギヤ６５１Ｌ，６５１Ｒと左右のラックギヤ５４３Ｌ，５４３Ｒとが噛合した状態でも、復帰規制位置まで回転移動した左右のピニオンギヤ６５１Ｌ，６５１Ｒの復帰規制部６５２Ｌにより、第２演出位置を越えて移動した可動部材５４１の上下方向の移動を規制することができる。
【０１７２】
上述の実施形態において、第１柱状部８３４の外端面８３４ａ（および、第２柱状部８３６の外端面８３６ａ）に拡散シート（図示せず）が付着し、第１柱状部８３４の側面８３４ｂ（および、第２柱状部８３６の側面８３６ｂ）に拡散シート（図示せず）が付着しないように構成されているが、これに限定されるものではない。例えば、第１柱状部８３４の外端面８３４ａ（または、第２柱状部８３６の外端面８３６ａ）に、拡散光を得るためのインクジェット加工が施されてもよい。また例えば、第１柱状部８３４の側面８３４ｂ（または、第２柱状部８３６の側面８３６ｂ）にカラーフィルム等が付着してもよい。すなわち、第１柱状部８３４の外端面８３４ａと側面８３４ｂとで趣の異なる光が発光し、第２柱状部８３６の外端面８３６ａと側面８３６ｂとで趣の異なる光が発光するように構成されていればよい。また、第１柱状部８３４の外端面８３４ａに、ブラックライト等の特殊な波長の光にのみ反応して（励起されて）発光する塗料が塗布されて、第１柱状部８３４の外端面８３４ａおよび第２柱状部８３６の外端面８３６ａから発光する場合と、第１柱状部８３４の外端面８３４ａのみから発光する場合とで、趣の異なる光が発光するように構成されてもよい。
【０１７３】
上述の実施形態において、第１柱状部８３４の外端面８３４ａ（および、第２柱状部８３６の外端面８３６ａ）は、第１柱状部８３４（第２柱状部８３６）の延伸方向と同じ前方を向くように形成されているが、これに限定されるものではない。例えば、第１柱状部８３４の外端面８３４ａ（または、第２柱状部８３６の外端面８３６ａ）は、遊技者が上方から視認しやすいように、遊技者のアイポイント（設計の際に設定される遊技者の目の位置）の方を向くように、第１柱状部８３４（第２柱状部８３６）の延伸方向に対し上方に傾斜して形成されてもよい。
【０１７４】
上述の実施形態において、複数の第１柱状部８３４，８３４，…（および、第２柱状部８３６，８３６）は、板状部８３２に対し前方に突出して形成されているが、これに限定されるものではない。例えば、複数の第１柱状部８３４，８３４，…（および、第２柱状部８３６，８３６）は、遊技者が上方から視認しやすいように、遊技者のアイポイントの方を向くように、板状部８３２（法線方向）に対し上方に傾斜して前方に突出するように形成されてもよい。
【０１７５】
上述の実施形態において、複数の第１柱状部８３４，８３４，…（および、第２柱状部８３６，８３６）は、同じ高さを有して形成されているが、これに限定されるものではない。例えば、複数の第１柱状部８３４，８３４，…（および、第２柱状部８３６，８３６）は、遊技者が上方から視認しやすいように、上方から下方に向かうにつれて高さ（ランプハウス８４１に対する前方外側への突出量）が大きくなるように、異なる高さを有して形成されてもよい。
【０１７６】
上述の実施形態において、ランプハウス８４１は、遮光性を有する樹脂材料を用いて形成されているが、これに限定されるものではなく、透光性を有するが導光部材８３１よりも光の透過率が低い樹脂材料を用いて形成されてもよい。
【０１７７】
上述の実施形態において、本発明が適用される遊技機の一例として、ぱちんこ遊技機を例示して説明したが、これに限定されるものではなく、例えば、アレンジボール、雀球遊技機、スロットマシン（回胴式遊技機）などについても同様に適用し、同様の効果を得る
ことができる。
【符号の説明】
【０１７８】
ＰＭ  ぱちんこ遊技機（遊技機）
２００  上部可動演出装置
２０１  看板型装飾
２１０  第１装飾部材
２１１  第１装飾形成部
２１４  係合ピン
２１５  第２装飾部材
２１６  第２装飾形成部
２２０  装飾ベース部
２２１  第１装飾ベース部材
２２２  長穴部
２３１  第２装飾ベース部材
２６０  装飾部材駆動部
２７０  ロック機構部
２８０  ロック解除部
３００  裏側演出ユニット
３１０  裏側ベース部
３６０  第１回転演出部材
３７０  第２回転演出部材
４００  回転駆動部
４５０  反転ギヤ
４５１  駆動側ギヤ部
４５２  従動側ギヤ部
４６１  トルクリミッタ
５００  下部可動演出装置
５１０  演出ベース部
５１１  演出ベース部材
５２１Ｌ，５２１Ｒ  左右のギヤカバー部材
５２６Ｌ  回転規制部
５３０  演出可動部
５４０  演出表示部
５４１  可動部材
５４３Ｌ，５４３Ｒ  左右のラックギヤ
５４４Ｌ，５４４Ｒ  左右の規制片部
６００  演出駆動部
６１１Ｌ，６１１Ｒ  左右の可動部材用駆動モータ
６３１Ｌ，６３１Ｒ  左右の第１中間ギヤ
６４１Ｌ，６４１Ｒ  左右の第２中間ギヤ
６４２Ｌ  溝部
６４３Ｌ  ストッパー部
６５１Ｌ，６５１Ｒ  左右のピニオンギヤ
６５２Ｌ  復帰規制部
８００  下部可動演出装置（変形例）
８１０  演出表示部
８１１  可動部材
８２１  ランプ基板
８２２  ランプ
８３１  導光部材
８３２  板状部
８３４  第１柱状部（８３４ａ  外端面、８３４ｂ  側面）
８３６  第２柱状部（８３６ａ  外端面、８３６ｂ  側面）
８４１  ランプハウス
８４４  第１挿通孔
８４６  第２挿通孔
【図１】
0006308226.tif 000002
【図２】
0006308226.tif 000003
【図３】
0006308226.tif 000004
【図４】
0006308226.tif 000005
【図５】
0006308226.tif 000006
【図６】
0006308226.tif 000007
【図７】
0006308226.tif 000008
【図８】
0006308226.tif 000009
【図９】
0006308226.tif 000010
【図１０】
0006308226.tif 000011
【図１１】
0006308226.tif 000012
【図１２】
0006308226.tif 000013
【図１３】
0006308226.tif 000014
【図１４】
0006308226.tif 000015
【図１５】
0006308226.tif 000016
【図１６】
0006308226.tif 000017
【図１７】
0006308226.tif 000018
【図１８】
0006308226.tif 000019
【図１９】
0006308226.tif 000020
【図２０】
0006308226.tif 000021
【図２１】
0006308226.tif 000022
【図２２】
0006308226.tif 000023
【図２３】
0006308226.tif 000024
【図２４】
0006308226.tif 000025
【図２５】
0006308226.tif 000026
【図２６】
0006308226.tif 000027
【図２７】
0006308226.tif 000028
【図２８】
0006308226.tif 000029
【図２９】
0006308226.tif 000030
【図３０】
0006308226.tif 000031
【図３１】
0006308226.tif 000032
【図３２】
0006308226.tif 000033